【手続補正書】
【提出日】平成18年9月26日(2006.9.26)
【手続補正１】
【補正対象書類名】明細書
【補正対象項目名】特許請求の範囲
【補正方法】変更
【補正の内容】
【特許請求の範囲】
【請求項１】ＩＰ転送網は複数の網ノード装置、１以上の接続サーバ、１以上のドメイン名サーバ及び１以上の運用管理サーバを含み、複数の端末は通信回線により前記網ノード装置のいずれかに接続され、
端末１及び２はそれぞれ通信回線１及び２を経て網ノード装置１及び２に接続され、端末Ｔから接続サーバＳに向けて送信されたＩＰパケットは、前記網ノード装置内のＩＰ通信レコードＴＳが用いられ、内部パケットに変換されて前記接続サーバＳに到達するように前記ＩＰ通信レコードＴＳが設定されており、逆方向に転送された内部パケットは前記ＩＰ通信レコードＴＳが用いられてＩＰパケットに変換されて前記端末Ｔに到達し、
前記端末１は電話番号を用いて前記端末２に接続するため、接続サーバＳ１へ接続要求を含むＩＰパケットを送信すると、前記ＩＰパケットは前記網ノード装置１で内部パケットとなって前記接続サーバＳ１に到達し、前記接続サーバＳ１は、前記端末１及び端末２の間の通信を識別するため前記ＩＰパケットに含まれる前記電話番号ＴＮ１及びＴＮ２を用いて回線識別番号ＣＩＣ１２を定め、前記電話番号ＴＮ２をドメイン名サーバ１に提示して前記端末２のＩＰアドレスＥＡ２及び前記端末２側の接続制御を実施する接続サーバＳ２のアドレス２を取得し、続いて前記接続要求、前記回線識別番号ＣＩＣ１２、前記電話番号ＴＮ１及びＴＮ２、前記端末１のＩＰアドレスＥＡ１及びメディアポート番号ＰＮ１、前記ＩＰアドレスＥＡ２を含む初期アドレスメッセージを形成して前記接続サーバＳ２へ送出し、前記接続サーバＳ２は前記初期アドレスメッセージを受信し、前記接続サーバＳ２は前記接続要求に基づく接続要求通知、前記電話番号ＴＮ１，前記ＩＰアドレスＥＡ１及び前記メディアポート番号ＰＮ１を含む内部パケットを形成して前記端末２に向けて送出し、前記内部パケットは前記網ノード装置２で接続要求通知を含むＩＰパケットとなって宛先端末２に到達し、
前記接続サーバＳ２は前記初期アドレスメッセージ受信を確認するアドレス完了メッセージを送出し、前記アドレス完了メッセージは前記接続サーバＳ１へ到達し、
前記端末２は前記接続要求通知を受信すると、応答準備開始を知らせる呼出中通知を含むＩＰパケットを送出し、前記ＩＰパケットは前記網ノード装置２で内部パケットとなって前記接続サーバＳ２に到達し、前記接続サーバＳ２は前記呼出中通知を含む呼経過メッセージを形成して送出し、前記呼経過メッセージは前記接続サーバＳ１へ到達し、前記接続サーバＳ１は前記呼出中通知を含む内部パケットを送出し、前記内部パケットは前記網ノード装置１でＩＰパケットとなって前記端末１に到達し、
前記端末２が前記呼出しに応答すると、応答を知らせる応答通知及び前記端末２のメディアポート番号ＰＮ２を含むＩＰパケットを送出し、前記ＩＰパケットは前記網ノード装置２で内部パケットとなって前記接続サーバＳ２に到達し、前記接続サーバＳ２は前記応答通知及び前記ＰＮ２を含む応答メッセージを形成して送出し、前記応答メッセージは前記接続サーバＳ１へ到達し、前記接続サーバＳ１は前記応答通知、前記ＩＰアドレスＥＡ２及び前記メディアポート番号ＰＮ２を含む内部パケットを前記端末１に向けて送出し、前記内部パケットは前記網ノード装置１でＩＰパケットとなって前記端末１に到達し、前記端末１は前記応答通知、前記ＩＰアドレスＥＡ２及び前記メディアポート番号ＰＮ２を受信し、前記接続サーバＳ１及びＳ２は、前記網ノード装置１及び網ノード装置２内に、それぞれ前記ＩＰアドレスＥＡ１及びＥＡ２を含むＩＰパケットと内部パケット間の相互の変換ルールを規定するＩＰ通信レコード１及び２を設定し、前記ＩＰ通信レコード１及び２は、前記網ノード装置１及び２の間に前記端末１及び端末２が送受するＩＰパケットを転送するための通信経路１２を定めており、前記通信経路１２は送信元電話番号及び前記宛先電話番号の組みにより定める前記回線識別番号ＣＩＣ１２により識別され、
前記端末１が、送信元アドレスは前記ＥＡ１、宛先アドレスは前記ＥＡ２であるＩＰパケットを前記通信回線１を経て前記網ノード装置１に送信すると、前記ＩＰパケットは前記網ノード１内の前記ＩＰ通信レコード１が用いられて前記内部パケットとなって前記通信経路１２を転送され、前記網ノード装置２において前記ＩＰ通信レコード２が用いられて前記ＩＰパケットが復元され、前記復元されたＩＰパケットが前記通信回線２を経て前記端末２へ転送され、前記端末２から前記端末１へのＩＰパケット送信も同様であり、前記接続サーバＳ１及びＳ２は、前記端末１若しくは前記端末２の切断要求に基づいて、解放メッセージ及び解放完了メッセージを送受して前記ＩＰ通信レコード１及び２を抹消し、
前記初期アドレスメッセージ、前記アドレス完了メッセージ、前記呼経過メッセージ、前記応答メッセージ、前記解放メッセージ及び前記解放完了メッセージは、それぞれ前記回線識別番号ＣＩＣ１２を含むことにより他の端末間通信用の接続制御メッセージと容易かつ確実に区分されており、前記端末間通信が終了すると、運用管理サーバ１は、前記端末間通信の送信元電話番号及び宛先電話番号、通信時刻を通信管理情報若しくは課金情報として記録し、接続制御メッセージ送受信用の通信回線と前記通信経路１２とが前記ＩＰ転送網内で分離し、端末のアドレス及びメディアポート番号を端末間で送受し、呼出中及び応答に関わる接続制御手順を経て送信元電話番号及び宛先電話番号の組により識別される前記通信経路１２が定まることを特徴とする端末間の通信接続制御方法。
【請求項２】前記網ノード装置はＩＰパケットをＩＰカプセル化技法により内部パケットに変換すると共に、前記内部パケットを逆ＩＰカプセル化技法により前記ＩＰパケットに変換する請求項１に記載の端末間の通信接続制御方法。
【請求項３】前記網ノード装置はＩＰパケットを簡易カプセル化技法により内部パケットに変換すると共に、前記内部パケットを簡易逆カプセル化技法により前記ＩＰパケットに変換する請求項１に記載の端末間の通信接続制御方法。
【請求項４】前記網ノード装置の全てが簡易カプセル化と簡易逆カプセル化、ＩＰカプセル化と逆カプセル化を行わず、前記網ノード装置内のＩＰ通信レコード内のアドレスを含むＩＰパケットのみを通過させるようになっている請求項１に記載の端末間の通信接続制御方法。
【請求項５】前記網ノード装置１又は２と前記接続サーバＳ１又はＳ２との間にそれぞれ代理接続サーバＳＸ１又はＳＸ２を設置し、前記代理接続サーバＳＸ１及びＳＸ２は前記接続サーバＳ１又はＳ２の接続制御機能を分担すると共に、前記網ノード装置１又は２と前記接続サーバＳ１又はＳ２との間で前記内部パケットの送受を引き継ぐようになっている請求項１乃至４のいずれかに記載の端末間の通信接続制御方法。
【請求項６】前記回線識別番号ＣＩＣ１２は、前記端末１及び前記端末２それぞれを他端末と厳密に識別できるホスト名１及び２を用いて定める請求項１乃至４のいずれかに記載の端末間の通信接続制御方法。
【請求項７】前記ＩＰ転送網において、電話番号ＴＮ３である端末３を通信回線３を経て前記網ノード装置１に接続し、前記端末３から前記接続サーバ１に向けて送信されたＩＰパケットは、前記網ノード装置１内のＩＰ通信レコード３１が用いられ内部パケットに変換されて接続サーバ１に到達するように前記ＩＰ通信レコード３１が設定されており、逆方向に転送された前記内部パケットは前記ＩＰ通信レコード３１が用いられてＩＰパケットに変換されて前記端末３に到達し、
前記端末１が電話番号を用いて前記端末３に接続要求するＩＰパケットを送出すると、接続要求側の接続サーバと宛先側接続サーバが共に前記接続サーバＳ１となることから前記初期アドレスメッセージ、前記アドレス完了メッセージ、前記呼経過メッセージ、前記応答メッセージ、前記解放メッセージ、前記解放完了メッセージそれぞれを生成して送信し、受信する手順を省いて、前記端末１が電話番号を用いて電話番号ＴＮ３の端末３に接続する端末間通信接続制御を行う請求項１乃至４のいずれかに記載の端末間の通信接続制御方法。
【請求項８】接続を要求する側の前記接続サーバＳ１及び宛先側接続サーバＳ２を接続サーバＸとして一体化し、前記端末１が電話番号を用いて前記端末２に接続要求する接続制御方法において、前記接続サーバＸが前記初期アドレスメッセージ、前記アドレス完了メッセージ、前記呼経過メッセージ、前記応答メッセージ、前記解放メッセージ、前記解放完了メッセージそれぞれを生成して送信し、受信する手順を省き、単一の接続サーバにより接続制御を実施するようになっている請求項１乃至４のいずれかに記載の端末間の通信接続制御方法。
【請求項９】前記電話番号がホスト名である請求項１乃至４のいずれかに記載の端末間の通信接続制御方法。
【請求項１０】ＩＰアドレスを有する前記端末がＩＰアドレスを有する電話機である請求項１乃至４のいずれかに記載の端末間の通信接続制御方法。
【請求項１１】前記接続サーバＳ１は前記電話番号ＴＮ２を前記ドメイン名サーバ１に提示して前記端末２のＩＰアドレスＥＡ２を取得せず、前記初期アドレスメッセージは前記端末２のＩＰアドレスＥＡ２を含まず、代わりに前記接続サーバＳ２が前記電話番号ＴＮ２をドメイン名サーバＳ２に提示して前記ＩＰアドレスＥＡ２を取得すると共に、前記アドレス完了メッセージ、前記呼経過メッセージ又は前記応答メッセージのいずれかに前記ＩＰアドレスＥＡ２を格納して前記接続サーバＳ１に送信し、前記接続サーバＳ１が受信した前記ＩＰアドレスＥＡ２を記録する請求項１乃至４のいずれかに記載の端末間の通信接続制御方法。
【請求項１２】前記端末２は前記接続要求通知を受信すると、呼出中通知及び端末２のメディアポート番号ＰＮ２を含むＩＰパケットを形成して送出し、前記接続サーバＳ２は前記呼出中通知及び前記メディアポート番号ＰＮ２を含む呼経過メッセージを形成して前記接続サーバＳ１へ送信し、前記接続サーバＳ１は前記呼出中通知又は応答通知、前記ＩＰアドレスＥＡ２及び前記メディアポート番号ＰＮ２を含む内部パケットを形成して前記端末１に向けて送出する請求項１乃至４のいずれかに記載の端末間の通信接続制御方法。
【請求項１３】前記接続要求を含むＩＰパケット及び前記接続要求通知を含むＩＰパケット内の宛先ポート番号の値が公開値である請求項１乃至４のいずれかに記載の端末間の通信接続制御方法。
【請求項１４】前記端末１及び２のメディアポート番号ＰＮ１及びＰＮ２それぞれを前記端末２及び１に送信する手順を省いており、前記端末１は、前記端末２へ送信するＩＰパケットの送信元ポート番号として端末１のメディアポート番号ＰＮ１を設定し、宛先ポート番号は、予め定めてあるメディアポート番号ＰＮ２を設定するようになっている請求項１乃至４のいずれかに記載の端末間の通信接続制御方法。
【請求項１５】前記網ノード装置１に更にＩＰ通信レコードＶを設定しておき、前記ＩＰパケットが通信回線Ｖから前記網ノード装置１に入力すると、前記ＩＰ通信レコードＶが用いられて前記ＩＰパケットが前記内部パケットとなって前記接続サーバＳ１到達し、前記接続サーバＳ１から前記内部パケットを送ると、前記網ノード装置１で前記ＩＰパケットとなって前記通信回線Ｖに送出するようにしてあり、端末収容無線装置は無線送受信部、無線インタフェース変換部１及び２を含み、前記無線インタフェース変換部１はＩＰ通信機能を有する端末を接続可能であり、前記無線インタフェース変換部２はＩＰ通信機能を有しない電話機を接続可能であり、電話番号Ｎ１が付与され、前記ＩＰアドレス及びＩＰ通信機能を有する端末ＴＬ１から送られたＩＰパケットは、前記無線インタフェース変換部１から前記無線送受信部に入力して電波形式のＩＰパケットとなり、無線通信路を経て無線送受信部Ｖ、無線インタフェース変換部Ｖを経て前記ＩＰパケットが復元されて出力され、前記ＩＰパケットはゲートウェイＶ、通信回線Ｖを経て前記網ノード装置１に到達し、
電話番号Ｎ２を付与されており、前記ＩＰ通信機能を有しない電話機ＴＬ２から送出された電話呼制御用データ、音声は無線インタフェース変換部２から前記無線送受信部に入力し、前記無線通信路、前記無線送受信部Ｖ、前記無線インタフェース変換部Ｖを経て前記ゲートウェイＶに入力し、前記ゲートウェイＶにおいて送信元ＩＰアドレスが前記ゲートウェイが有するＩＰアドレスであり、電話呼制御用データ、音声を含む前記ＩＰパケットが出力され、前記ＩＰパケットは前記通信回線Ｖを経て前記網ノード装置１に到達し、前記端末ＴＬ１が電話番号を用いて前記端末２に接続して端末間通信が可能であり、前記電話機ＴＬ２が電話番号を用いて前記端末２に接続して端末間通信を行い得る請求項１乃至４のいずれかに記載の端末間の通信接続制御方法。
【請求項１６】前記無線送受信部Ｖ、前記無線インタフェース変換部Ｖ及び前記ゲートウェイＶを一体化して、前記ゲートウェイのＩＰアドレスを有する無線基地局Ｖとして実施する請求項１５に記載の端末間の通信接続制御方法。
【請求項１７】前記無線インタフェース変換部２を含まず、前記無線インタフェース変換部１を含む前記端末収容無線装置、前記端末ＴＬ１が有するＩＰアドレス及びＩＰ通信機能を有する端末を一体化してＩＰアドレスを有する無線機能付端末として実施している請求項１５に記載の端末間の通信接続制御方法。
【請求項１８】前記無線インタフェース変換部１を含まず、前記無線インタフェース変換部２を含む前記端末収容無線装置及び前記ＩＰ通信機能を有しない前記電話機ＴＬ２を一体化して無線機能付電話機として実施している請求項１５に記載の端末間の通信接続制御方法。
【請求項１９】網ノード装置１及び２、接続サーバＳ１及びＳ２、ドメイン名サーバ１及び運用管理サーバ１はＩＰ転送網内に設置されると共に、前記ＩＰ転送網内の通信回線を経て接続され、複数の端末が前記ＩＰ転送網の外部に設置され、通信回線を経て前記網ノード装置のいずれかに接続され、端末１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を前記接続サーバＳ１へ送り、前記接続サーバＳ１は、前記電話番号ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて、前記接続要求を含む初期アドレスメッセージを前記接続サーバＳ２に送り、前記接続サーバＳ２は前記接続要求に基づく接続要求通知を前記端末２に送ると共に、前記接続要求受信を確認するアドレス完了メッセージを前記接続サーバＳ１へ送り、前記端末２から応答準備開始を知らせる呼出中通知が前記接続サーバＳ２へ到達し、前記接続サーバＳ２が前記呼出中通知を含む呼経過メッセージを形成して前記接続サーバＳ１へ送り、前記接続サーバＳ１は前記呼出中通知を前記端末１へ送り、前記端末２から応答を知らせる応答通知が前記接続サーバＳ２へ到達し、前記接続サーバＳ２が前記応答通知を含む応答メッセージを形成して前記接続サーバＳ１へ送り、前記接続サーバＳ１は前記応答通知及び前記端末２のＩＰアドレスＥＡ２を前記端末１へ送り、以上の手順を経て前記端末１及び端末２が送受するＩＰパケットを転送するための通信経路１２が前記網ノード装置１及び２の間に定められ、前記通信経路１２は、送信元電話番号及び宛先電話番号の組みによって識別され、前記端末１及び２は前記通信回線１、前記網ノード装置１、前記通信経路１２、前記網ノード装置２、前記通信回線２を経由する通信を行い、前記端末１又は２の通信切断要求に基づいて、前記接続サーバＳ１及びＳ２は解放メッセージ及び解放完了メッセージを送受して、前記端末１及び２との間の端末間通信を終了し、前記端末間通信が終了すると、前記運用管理サーバ１は前記端末間通信の送信元電話番号及び宛先電話番号、通信時刻を通信管理情報若しくは課金情報として記録し、呼出中及び応答に関わる接続制御手順を経て前記送信元電話番号及び前記宛先電話番号の組により識別される前記通信経路１２が定まることを特徴とする端末間の通信接続制御方法。
【請求項２０】網ノード装置１及び２、接続サーバＳ１及びＳ２及びドメイン名サーバ１はＩＰ転送網内に設置されると共に、前記ＩＰ転送網内の通信回線を経て接続され、複数の端末が前記ＩＰ転送網の外部に設置され、通信回線を経て前記網ノード装置のいずれかに接続され、端末１及び２はそれぞれ通信回線１及び２を経て前記網ノード装置１及び２と接続され、
前記端末１及び２から前記接続サーバＳ１及びＳ２に向けて送信されたＩＰパケットは、それぞれ網ノード装置１及び２内のＩＰ通信レコード９１及び９２が用いられて内部パケットに変換されて前記接続サーバＳ１及びＳ２に到達するように前記ＩＰ通信レコード９１及び９２が設定されており、逆方向に転送された内部パケットは前記ＩＰ通信レコード９１及び９２が用いられてＩＰパケットに変換されて前記端末１及び２に到達し、
前記端末１は電話番号を用いて前記端末２に接続を要求するため、接続要求及び前記端末２の電話番号ＴＮ２を含むＩＰパケット前記接続サーバＳ１へ送り、前記接続要求を含むＩＰパケットは前記網ノード装置１で内部パケットとなって前記接続サーバＳ１に到達し、前記接続サーバＳ１は前記電話番号ＴＮ２を前記ドメイン名サーバ１に提示して、前記端末２のＩＰアドレスＥＡ２及び前記端末２の接続制御を担う前記接続サーバＳ２のアドレス２を取得し、前記アドレス２を用いて前記接続要求を含む初期アドレスメッセージを前記接続サーバＳ２に送り、前記接続サーバＳ２は接続要求通知を含む内部パケットを前記端末２に向けて送り、前記内部パケットは前記網ノード装置２で接続要求通知を含むＩＰパケットとなって前記端末２に到達し、前記接続サーバＳ２はアドレス完了メッセージを前記接続サーバＳ１へ送り、前記端末２から応答準備開始を知らせる呼出中通知含むＩＰパケットが送出されると内部パケットとなって前記接続サーバＳ２へ到達し、接続サーバＳ２が前記呼出中通知を含む呼経過メッセージを形成して前記接続サーバＳ１へ送り、前記接続サーバＳ１は前記呼出中通知を含む内部パケットを前記端末１に向けて送り、前記端末２から応答を知らせる応答通知を含むＩＰパケットが送出されると内部パケットとなって前記接続サーバＳ２へ到達し、前記接続サーバＳ２が前記応答通知を含む応答メッセージを形成して前記接続サーバＳ１へ送り、前記接続サーバＳ１は前記応答通知及び前記ＩＰアドレスＥＡ２を含む内部パケットを前記端末１へ向けて送出し、前記接続サーバＳ１及びＳ２は前記網ノード装置１及び２の内部それぞれにＩＰ通信レコード１及び２を設定し、前記ＩＰ通信レコード１及び２は前記網ノード装置１及び２の間に通信経路１２を規定し、前記通信経路１２は前記電話番号ＴＮ１及び前記電話番号ＴＮ２の組により識別され、
前記端末１及び２は前記通信回線１、前記網ノード装置１、前記通信経路１２、前記網ノード装置２、前記通信回線２を経由する通信を行い、前記呼出中及び前記応答に関わる接続制御手順を経て送信元電話番号及び宛先電話番号の組により識別される前記通信経路１２が定まることを特徴とする端末間の通信接続制御方法。
【請求項２１】網ノード装置１及び２、接続サーバＳ１及びＳ２、ドメイン名サーバ１はＩＰ転送網内に設置されると共に、前記ＩＰ転送網内の通信回線を経て接続され、複数の端末が前記ＩＰ転送網の外部に設置され、通信回線を経て前記網ノード装置のいずれかに接続され、端末１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を前記接続サーバＳ１へ送り、前記接続サーバＳ１は、前記電話番号ＴＮ２を用いて前記端末1及び２の間の通信を識別するための回線識別番号ＣＩＣを定め、前記接続サーバＳ１は前記電話番号ＴＮ２を前記ドメイン名サーバ１に提示して、前記端末２のＩＰアドレスＥＡ２及び前記端末２の接続制御を担う前記接続サーバＳ２のアドレス２を取得し、前記アドレス２を用いて前記接続要求を含む初期アドレスメッセージを前記接続サーバＳ２に送り、前記接続サーバＳ２は接続要求通知を前記端末２に送ると共にアドレス完了メッセージを前記接続サーバＳ１へ送り、前記端末２から呼出中通知が前記接続サーバＳ２へ到達し、前記接続サーバＳ２が前記呼出中通知を含む呼経過メッセージを形成して前記接続サーバＳ１へ送り、前記接続サーバＳ１は前記呼出中通知を前記端末１へ送り、前記端末２から応答通知が前記接続サーバＳ２へ到達し、前記接続サーバＳ２が前記応答通知を含む応答メッセージを形成して前記接続サーバＳ１へ送り、前記接続サーバＳ１は前記応答通知を前記端末１へ送り、前記初期アドレスメッセージ、前記アドレス完了メッセージ、前記呼経過メッセージ及び前記応答メッセージは前記回線識別番号ＣＩＣを含むことにより他の端末間通信用の接続制御メッセージと識別されており、前記網ノード装置１及び２の間に通信経路１２が定められ、前記通信経路１２は送信元電話番号及び前記宛先電話番号の組みにより定める前記回線識別番号ＣＩＣ１２により識別され、
前記端末１及び２は前記通信回線１、前記網ノード装置１、前記通信経路１２、前記網ノード装置２、前記通信回線２を経由する通信を行い、回線識別番号ＣＩＣにより他の端末間通信用接続制御メッセージと容易かつ確実に識別され、呼出中及び応答に関わる接続制御手順を経て送信元電話番号及び宛先電話番号の組により識別される前記通信経路１２が定まることを特徴とする端末間の通信接続制御方法。
【請求項２２】網ノード装置１及び２、接続サーバＳ１及びＳ２及びドメイン名サーバ１はＩＰ転送網内に設置されると共に、前記ＩＰ転送網内の通信回線を経て接続され、複数の端末が前記ＩＰ転送網の外部に設置され、通信回線を経て前記網ノード装置のいずれかに接続され、端末１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を前記接続サーバＳ１へ送り、前記接続サーバＳ１は前記電話番号ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて前記接続要求を含む初期アドレスメッセージを前記接続サーバＳ２に送り、前記接続サーバＳ２は前記接続要求に基づく接続要求通知を前記端末２に送り、前記端末２から応答準備開始を知らせる呼出中通知が前記接続サーバＳ２へ到達し、前記接続サーバＳ２が前記呼出中通知を含む呼経過メッセージを形成して前記接続サーバＳ１へ送り、前記接続サーバＳ１は前記呼出中通知を前記端末１へ送り、前記端末２から応答を知らせる応答通知が前記接続サーバＳ２へ到達し、前記接続サーバＳ２が前記応答通知を含む応答メッセージを形成して前記接続サーバＳ１へ送り、前記接続サーバＳ１は前記応答通知を前記端末１へ送り、以上により前記網ノード装置１及び２の間に通信経路１２が定まり、前記通信経路１２は前記電話番号ＴＮ１及び前記電話番号ＴＮ２の組により識別され、
前記端末１は前記通信回線１、前記網ノード装置１、前記通信経路１２、前記網ノード装置２、前記通信回線２を経由して前記端末２と通信を行い、応答通知に関わる接続制御手順を経て送信元電話番号及び宛先電話番号の組により識別される前記通信経路１２が定まることを特徴とする端末間の通信接続制御方法。
【請求項２３】網ノード装置１及び２、接続サーバＳ１及びＳ２、ドメイン名サーバ１及び運用管理サーバ１はＩＰ転送網内に設置されると共に、前記ＩＰ転送網内の通信回線を経て接続され、複数の端末が前記ＩＰ転送網の外部に設置され、端末１及び２はそれぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれゲートウェイ１及び２と接続され、前記ゲートウェイ１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を前記接続サーバＳ１へ送り、前記接続サーバＳ１は前記電話番号ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて前記接続要求を含む初期アドレスメッセージを前記接続サーバＳ２に送り、前記接続サーバＳ２は前記接続要求に基づく接続要求通知を前記端末２に送ると共に、アドレス完了メッセージを前記接続サーバＳ１へ送り、前記端末２から応答準備開始を知らせる呼出中通知が前記接続サーバＳ２へ到達し、前記接続サーバＳ２が前記呼出中通知を含む呼経過メッセージを形成して前記接続サーバＳ１へ送り、前記接続サーバＳ１は前記呼出中通知を前記端末１へ送り、前記端末２から応答を知らせる応答通知が前記接続サーバＳ２へ到達し、前記接続サーバＳ２が前記応答通知を含む応答メッセージを形成して前記接続サーバＳ１へ送り、前記接続サーバＳ１は前記応答通知及び前記端末２のＩＰアドレスＥＡ２を前記端末１へ送り、以上により前記網ノード装置１及び２の間に通信経路１２が定まり、前記通信経路１２は前記電話番号ＴＮ１及び前記電話番号ＴＮ２の組により識別され、
前記端末１及び２は前記端末収容無線装置１、前記無線通信路１、前記無線送受信部１、前記ゲートウェイ１、前記通信回線１、前記網ノード装置１、前記通信経路１２、前記網ノード装置２、前記通信回線２、前記ゲートウェイ２、前記無線送受信部２、前記無線通信路２、前記端末収容無線装置２を経由する通信を行い、前記端末１又は２の通信切断要求に基づいて、前記接続サーバＳ１及びＳ２は解放メッセージ及び解放完了メッセージを送受して端末間通信を終了すると、前記運用管理サーバ１は前記端末間通信の送信元電話番号及び宛先電話番号、通信時刻を通信管理情報若しくは課金情報として記録し、呼出中及び応答に関わる接続制御手順を経て前記送信元電話番号及び前記宛先電話番号の組により識別される前記通信経路１２が定まることを特徴とする端末間の通信接続制御方法。
【請求項２４】網ノード装置１及び２、接続サーバＳ１及びＳ２、ドメイン名サーバ１はＩＰ転送網内に設置されると共に、前記ＩＰ転送網内の通信回線を経て接続され、複数の端末が前記ＩＰ転送網の外部に設置され、前記端末１及び２はそれぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれゲートウェイ１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を前記接続サーバＳ１へ送り、前記接続サーバＳ１は前記ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて前記接続要求を含む初期アドレスメッセージを前記接続サーバＳ２に送り、前記接続サーバＳ１及びＳ２は、前記端末２から送出された応答準備開始を知らせる呼出中通知及び応答を知らせる応答通知を、それぞれ前記ＩＰ転送網を経由して前記端末１に転送する接続制御を行い、以上により前記ＩＰ転送網は前記網ノード装置１及び２の間に前記端末１及び２が送受するＩＰパケットを転送するための通信経路１２を定めており、前記通信経路１２は前記端末１及び２の電話番号の組により識別され、
前記端末１及び２は前記端末収容無線装置１、前記無線通信路１、前記無線送受信部１、前記ゲートウェイ１、前記通信回線１、前記網ノード装置１、前記通信経路１２、前記網ノード装置２、前記通信回線２、前記ゲートウェイ２、前記無線送受信部２、前記無線通信路２、前記端末収容無線装置２を経由する通信を行い、応答通知に関わる接続制御手順を経て送信元電話番号及び宛先電話番号の組により識別される前記通信経路１２が定まることを特徴とする端末間の通信接続制御方法。
【請求項２５】接続サーバＳ１及びＳ２、ドメイン名サーバ１及び運用管理サーバ１はＩＰ転送網内に設置されると共に、前記ＩＰ転送網内の通信回線を経て接続され、複数の端末が前記ＩＰ転送網の外部に設置され、通信回線により前記ＩＰ転送網に接続され、端末１及び２はそれぞれ通信回線１及び２を経て前記ＩＰ転送網と接続され、
前記端末１は電話番号を用いて前記端末２に接続を要求するため、接続要求及び前記端末２の電話番号ＴＮ２を前記接続サーバＳ１へ送り、前記接続サーバＳ１は、前記電話番号ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて前記接続要求を含む初期アドレスメッセージを前記接続サーバＳ２に送り、前記接続サーバＳ２は前記接続要求に基づく接続要求通知を前記端末２に送ると共に、前記接続要求受信を確認するアドレス完了メッセージを前記接続サーバＳ１へ送り、前記端末２から応答準備開始を知らせる呼出中通知が前記接続サーバＳ２へ到達し、前記接続サーバＳ２が前記呼出中通知を含む呼経過メッセージを形成して前記接続サーバＳ１へ送り、前記接続サーバＳ１は前記呼出中通知を前記端末１へ送り、前記端末２から応答を知らせる応答通知が前記接続サーバＳ２へ到達し、前記接続サーバＳ２が前記応答通知を含む応答メッセージを形成して前記接続サーバＳ１へ送り、前記接続サーバＳ１は前記応答通知及び前記端末２のＩＰアドレスＥＡ２を前記端末１へ送り、以上により前記ＩＰ転送網はその内部に前記端末１及び２が送受するＩＰパケットを転送するための通信経路１２を定めており、前記通信経路１２は前記端末１及び２の各電話番号の組により識別され、
前記端末１及び２は前記通信回線１、前記通信経路１２、前記通信回線２を経由する通信を行い、前記端末１又は２の通信切断要求に基づいて、前記接続サーバＳ１及びＳ２は解放メッセージ及び解放完了メッセージを送受して、前記端末１及び２との間の端末間通信を終了し、端末間通信が終了すると、前記運用管理サーバ１は前記端末間通信の送信元電話番号及び宛先電話番号、通信時刻を通信管理情報若しくは課金情報として記録し、呼出中及び応答に関わる接続制御手順を経て前記送信元電話番号及び前記宛先電話番号の組により識別される前記通信経路１２が定まることを特徴とする端末間の通信接続制御方法。
【請求項２６】ＩＰ転送網は１以上の接続サーバ及び１以上のドメイン名サーバを含み、複数の端末が前記ＩＰ転送網の外部に設置され、通信回線により前記ＩＰ転送網に接続され、前記通信回線を転送されるＩＰパケットは、前記ＩＰ転送網に入力するとき内部パケットに変換され、内部パケットが前記ＩＰ転送網内から前記通信回線に出力するときＩＰパケットに変換されるように前記ＩＰ転送網を設定してあり、端末１及び２は通信回線１及び２を経て前記ＩＰ転送網に接続され、電話番号ＴＮ１及びＴＮ２を有しており、
前記端末１は電話番号を用いて前記端末２に接続を要求するため、接続要求及び前記端末２の電話番号ＴＮ２を含むＩＰパケットを前記接続サーバＳ１へ送り、前記接続要求するＩＰパケットは前記ＩＰ転送網に入力するときに内部パケットとなって前記接続サーバＳ１に到達し、前記接続サーバＳ１は、前記電話番号ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて、前記接続要求を含む初期アドレスメッセージを前記接続サーバＳ２に送り、前記接続サーバＳ２は接続要求通知を含む内部パケットを前記端末２に向けて送り、前記内部パケットは前記ＩＰ転送網から出力するときに接続要求通知を含むＩＰパケットとなって前記端末２に到達し、前記接続サーバＳ２はアドレス完了メッセージを前記接続サーバＳ１へ送り、前記端末２から応答準備開始を知らせる呼出中通知含むＩＰパケットが送出されると内部パケットとなって前記接続サーバＳ２へ到達し、前記接続サーバＳ２が前記呼出中通知を含む呼経過メッセージを形成して前記接続サーバＳ１へ送り、前記接続サーバＳ１は前記呼出中通知を含む内部パケットを前記端末１に向けて送り、前記端末２から応答を知らせる応答通知を含むＩＰパケットが送出されると内部パケットとなって前記接続サーバＳ２へ到達し、前記接続サーバＳ２が前記応答通知を含む応答メッセージを形成して前記接続サーバＳ１へ送り、前記接続サーバＳ１は前記応答通知及び前記ＩＰアドレスＥＡ２を含む内部パケットを前記端末１へ向けて送出し、前記ＩＰ転送網内に端末１及び２間の通信用の通信経路１２が定まり、前記通信経路１２は、前記電話番号ＴＮ１及び前記電話番号ＴＮ２の組により識別され、
前記端末１及び２は、前記通信回線１、前記通信経路１２、前記通信回線２を経由する通信を行い、呼出中及び応答に関わる接続制御手順を経て送信元電話番号及び宛先電話番号の組により識別される前記通信経路１２が定まることを特徴とする端末間の通信接続制御方法。
【請求項２７】接続サーバＳ１、Ｓ２及びドメイン名サーバ１は、ＩＰ転送網内に設置され、さらに前記ＩＰ転送網内の通信回線を経て接続され、複数の端末が前記ＩＰ転送網の外部に設置され、通信回線により前記ＩＰ転送網に接続され、端末１及び２はそれぞれ通信回線１及び２を経て前記ＩＰ転送網と接続され、
前記端末１は電話番号を用いて前記端末２に接続を要求するため、接続要求及び前記端末２の電話番号ＴＮ２を前記接続サーバＳ１へ送り、前記接続サーバＳ１は、前記電話番号ＴＮ２を用いて前記端末1及び２の間の通信を識別するための回線識別番号ＣＩＣを定め、前記接続サーバＳ１は、前記電話番号ＴＮ２を前記ドメイン名サーバ１に提示して、前記端末２のＩＰアドレスＥＡ２及び前記端末２の接続制御を担う前記接続サーバＳ２のアドレス２を取得し、前記アドレス２を用いて、前記接続要求を含む初期アドレスメッセージを前記接続サーバＳ２に送り、前記接続サーバＳ２は接続要求通知を前記端末２に送ると共にアドレス完了メッセージを前記接続サーバＳ１へ送り、前記端末２から応答準備開始を知らせる呼出中通知が前記接続サーバＳ２へ到達し、前記接続サーバＳ２が前記呼出中通知を含む呼経過メッセージを形成して前記接続サーバＳ１へ送り、前記接続サーバＳ１は前記呼出中通知を前記端末１へ送り、前記端末２から応答を知らせる応答通知が前記接続サーバＳ２へ到達し、前記接続サーバＳ２が前記応答通知を含む応答メッセージを形成して前記接続サーバＳ１へ送り、前記接続サーバＳ１は前記応答通知を前記端末１へ送り、前記初期アドレスメッセージ、前記アドレス完了メッセージ、前記呼経過メッセージ及び前記応答メッセージは、前記回線識別番号ＣＩＣを含むことにより他の端末間通信用の接続制御メッセージと識別されており、以上の手順を経て、前記ＩＰ転送網は、その内部に前記端末１及び２が送受するＩＰパケットを転送するための通信経路１２を定めており、前記通信経路１２は、前記通信経路１２は送信元電話番号及び前記宛先電話番号の組により定める前記回線識別番号ＣＩＣにより識別され、前記端末１及び２は、前記通信回線１、前記通信経路１２、前記通信回線２を経由する通信を行い、回線識別番号ＣＩＣにより他の端末間通信用接続制御メッセージと容易かつ確実に識別され、呼出中及び応答に関わる接続制御手順を経て送信元電話番号及び宛先電話番号の組により識別される前記通信経路１２が定まることを特徴とする端末間の通信接続制御方法。
【請求項２８】接続サーバＳ１、Ｓ２及びドメイン名サーバ１は、ＩＰ転送網内に設置され、さらに前記ＩＰ転送網内の通信回線を経て接続され、複数の端末が前記ＩＰ転送網の外部に設置され、通信回線により前記ＩＰ転送網に接続され、端末１及び２はそれぞれ通信回線１及び２を経て前記ＩＰ転送網と接続され、
前記端末１は電話番号を用いて前記端末２に接続を要求するため、接続要求及び前記端末２の電話番号ＴＮ２を前記接続サーバＳ１へ送り、前記接続サーバＳ１は、前記ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて、前記接続要求を含む初期アドレスメッセージを前記接続サーバＳ２に送り、前記接続サーバＳ１及び前記接続サーバＳ２は、前記端末２から送出された応答準備開始を知らせる呼出中通知及び応答を知らせる応答通知を、それぞれ前記ＩＰ転送網を経由して前記端末１に転送する接続制御を行い、
以上の手順を経て、前記ＩＰ転送網はその内部に前記端末１及び２が送受するＩＰパケットを転送するための通信経路１２を定めており、前記通信経路１２は前記端末１及び２の電話番号の組により識別され、
前記端末１は前記通信回線１、前記通信経路１２、前記通信回線２を経由して前記端末２と通信を行い、応答通知に関わる接続制御手順を経て送信元電話番号及び宛先電話番号の組により識別される前記通信経路１２が定まることを特徴とする端末間の通信接続制御方法。
【請求項２９】接続サーバＳ１及びＳ２、ドメイン名サーバ１及び運用管理サーバ１はＩＰ転送網内に設置されると共に、前記ＩＰ転送網内の通信回線を経て接続され、複数の端末が前記ＩＰ転送網の外部に設置され、前記端末１及び２はそれぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれゲートウェイ１及び２と接続され、前記ゲートウェイ１及び２はそれぞれ通信回線１及び２を経て前記ＩＰ転送網に接続され、
前記端末１は電話番号を用いて前記端末２に接続を要求するため、接続要求及び前記端末２の電話番号ＴＮ２を前記接続サーバＳ１へ送り、前記接続サーバＳ１は前記電話番号ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて前記接続要求を含む初期アドレスメッセージを前記接続サーバＳ２に送り、前記接続サーバＳ２は前記接続要求に基づく接続要求通知を前記端末２に送ると共に、アドレス完了メッセージを前記接続サーバＳ１へ送り、前記端末２から応答準備開始を知らせる呼出中通知が前記接続サーバＳ２へ到達し、前記接続サーバＳ２が前記呼出中通知を含む呼経過メッセージを形成して前記接続サーバＳ１へ送り、前記接続サーバＳ１は前記呼出中通知を前記端末１へ送り、前記端末２から応答を知らせる応答通知が前記接続サーバＳ２へ到達し、接続サーバＳ２が前記応答通知を含む応答メッセージを形成して前記接続サーバＳ１へ送り、前記接続サーバＳ１は前記応答通知及び前記端末２のＩＰアドレスＥＡ２を前記端末１へ送り、
以上により前記ＩＰ転送網は、その内部に前記端末１及び２が送受するＩＰパケットを転送するための通信経路１２を定めており、前記通信経路１２は前記端末１及び２の電話番号の組により識別され、
前記端末１及び２は端末収容無線装置１、無線通信路１、無線送受信部１、ゲートウェイ１、前記通信回線１、前記通信経路１２、前記通信回線２、ゲートウェイ２、無線送受信部２、無線通信路２、端末収容無線装置２を経由する通信を行い、
前記端末１又は２の通信切断要求に基づいて、前記接続サーバＳ１及びＳ２は解放メッセージ及び解放完了メッセージを送受して端末間通信を終了すると、前記運用管理サーバ１は前記端末間通信の送信元及び宛先電話番号、通信時刻を通信管理情報乃至課金情報として記録し、呼出中及び応答に関わる接続制御手順を経て送信元電話番号及び宛先電話番号の組により識別される前記通信経路１２が定まることを特徴とする端末間の通信接続制御方法。
【請求項３０】接続サーバＳ１及びＳ２、ドメイン名サーバ１及び運用管理サーバ１はＩＰ転送網内に設置されると共に、前記ＩＰ転送網内の通信回線を経て接続され、複数の端末が前記ＩＰ転送網の外部に設置され、前記端末１及び２はそれぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれゲートウェイ１及び２と接続され、前記ゲートウェイ１及び２はそれぞれ通信回線１及び２を経て前記ＩＰ転送網に接続され、
前記端末１は電話番号を用いて前記端末２に接続を要求するため、接続要求及び前記端末２の電話番号ＴＮ２を前記接続サーバＳ１へ送り、前記接続サーバＳ１は前記電話番号ＴＮ２を前記ドメイン名サーバ１に提示して、前記端末２のＩＰアドレスＥＡ２及び前記端末２の接続制御を担う接続サーバＳ２のアドレス２を取得し、前記アドレス２を用いて前記接続要求を含む初期アドレスメッセージを前記接続サーバＳ２に送り、前記接続サーバＳ２は前記接続要求に基づく接続要求通知を前記端末２に送り、前記端末２から応答準備開始を知らせる呼出中通知が前記接続サーバＳ２へ到達し、前記接続サーバＳ２が前記呼出中通知を含む呼経過メッセージを形成して前記接続サーバＳ１へ送り、前記接続サーバＳ１は前記呼出中通知を前記端末１へ送り、前記端末２から応答を知らせる応答通知が前記接続サーバＳ２へ到達し、接続サーバＳ２が前記応答通知を含む応答メッセージを形成して前記接続サーバＳ１へ送り、前記接続サーバＳ１は前記応答通知を前記端末１へ送り、以上により前記ＩＰ転送網は、その内部に前記端末１及び２が送受するＩＰパケットを転送するための通信経路１２を定めており、前記通信経路１２は前記端末１及び２の電話番号の組により識別され、
前記端末１及び２は端末収容無線装置１、無線通信路１、無線送受信部１、ゲートウェイ１、前記通信回線１、前記通信経路１２、前記通信回線２、ゲートウェイ２、無線送受信部２、無線通信路２、端末収容無線装置２を経由する通信を行い、応答通知に関わる接続制御手順を経て送信元電話番号及び宛先電話番号の組により識別される前記通信経路１２が定まることを特徴とする端末間の通信接続制御方法。
【請求項３１】前記ＩＰ転送網内の前記網ノード装置１、前記接続サーバ１及び前記ドメイン名サーバ１を一体化して終端ゲートウェイＧＷ１として実施し、前記網ノード装置２、前記接続サーバ２及び前記ドメイン名サーバ２を一体化して終端ゲートウェイＧＷ２として実施し、
前記ＩＰ転送網の外部に設置される前記端末１及び２は、それぞれ前記通信回線１及び２を経て終端ゲートウェイＧＷ１及びＧＷ２と接続され、
前記端末１は電話番号を用いて前記端末２に接続を要求するため、接続要求及び前記端末２の電話番号ＴＮ２を前記終端ゲートウェイＧＷ１へ送り、前記終端ゲートウェイＧＷ１は、前記端末２のＩＰアドレスＥＡ２及び前記端末２の接続制御を担う終端ゲートウェイＧＷ２のアドレス２を決定し、前記アドレス２を用いて、前記接続要求を含む初期アドレスメッセージを前記終端ゲートウェイＧＷ２に送り、前記終端ゲートウェイＧＷ２は前記接続要求に基づく接続要求通知を前記端末２に送ると共に、前記接続要求受信を確認するアドレス完了メッセージを前記終端ゲートウェイＧＷ１へ送り、前記端末２から応答準備開始を知らせる呼出中通知が前記終端ゲートウェイＧＷ２へ到達し、前記終端ゲートウェイＧＷ２が前記呼出中通知を含む呼経過メッセージを形成して前記終端ゲートウェイＧＷ１へ送り、前記終端ゲートウェイＧＷ１は前記呼出中通知を前記端末１へ送り、前記端末２から応答を知らせる応答通知が前記終端ゲートウェイＧＷ２へ到達し、前記終端ゲートウェイＧＷ２が前記応答通知を含む応答メッセージを形成して前記終端ゲートウェイＧＷ１へ送り、前記接続サーバＳ１は前記応答通知及び前記端末２のＩＰアドレスＥＡ２を前記端末１へ送り、
以上により前記終端ゲートウェイＧＷ１及びＧＷ２の間に、前記端末１及び２が送受するＩＰパケットを転送するための通信経路１２を定めており、前記通信経路１２は前記端末１及び２の電話番号の組により識別され、
前記端末１及び２は前記通信回線１、前記終端ゲートウェイＧＷ１、前記通信経路１２、前記終端ゲートウェイＧＷ２、前記通信回線２を経由する通信を行い、前記端末１又は２の通信切断要求に基づいて、前記終端ゲートウェイＧＷ１及びＧＷ２は解放メッセージ及び解放完了メッセージを送受して前記端末１及び２との間の端末間通信を終了し、端末間通信が終了すると、前記運用管理サーバ１は前記端末間通信の送信元電話番号及び宛先電話番号、通信時刻を通信管理情報若しくは課金情報として記録し、
呼出中及び応答に関わる接続制御手順を経て送信元電話番号及び宛先電話番号の組により識別される前記通信経路１２が定まる請求項１９に記載の端末間の通信接続制御方法。
【請求項３２】ＩＰ転送網は互いに通信可能な複数の終端ゲートウェイＧＷ及び運用管理サーバを含み、前記ＩＰ転送網外部にある複数の端末は通信回線を経て前記終端ゲートウェイＧＷのいずれかに接続され、端末１及び２はそれぞれ通信回線１及び２を経て終端ゲートウェイＧＷ１及びＧＷ２と接続され、
前記端末１は電話番号を用いて前記端末２に接続を要求するため、接続要求及び前記端末２の電話番号ＴＮ２を前記終端ゲートウェイＧＷ１へ送り、前記終端ゲートウェイＧＷ１は、前記ＴＮ２を基に前記端末２のＩＰアドレスＥＡ２及び前記端末２の接続制御を担う前記終端ゲートウェイＧＷ２のアドレス２を特定し、前記アドレス２を用いて前記接続要求を含む初期アドレスメッセージを前記終端ゲートウェイＧＷ２に送り、
前記端末２から送出された応答準備開始を知らせる呼出中通知及び応答を知らせる応答通知をそれぞれ前記ＩＰ転送網を経由して前記端末１に転送する手順を含むように接続制御することにより、前記終端ゲートウェイＧＷ１及びＧＷ２の間に通信経路１２が定まり、
前記通信経路１２は前記電話番号ＴＮ１及び前記電話番号ＴＮ２の組により識別され、前記端末１は前記端末２から応答通知及び前記端末２のＩＰアドレスＥＡ２を受信しており、
前記端末１及び端末２は前記通信回線１、前記終端ゲートウェイＧＷ１、前記通信経路１２、前記終端ゲートウェイＧＷ２、前記通信回線２を経て端末間通信を行い、前記運用管理サーバは前記端末間通信の送信元電話番号及び宛先電話番号、通信時刻を通信管理情報若しくは課金情報として記録し、呼出中及び応答に関わる接続制御手順を経て前記送信元電話番号及び前記宛先電話番号の組により識別される前記通信経路１２が定まることを特徴とする端末間の通信接続制御方法。
【請求項３３】ＩＰ転送網は互いに通信可能な複数の終端ゲートウェイＧＷを含み、前記ＩＰ転送網外部にある複数の端末は通信回線を経て前記終端ゲートウェイＧＷのいずれかに接続され、端末１及び２はそれぞれ通信回線１及び２を経て終端ゲートウェイＧＷ１及びＧＷ２と接続され、
前記端末１は電話番号を用いて前記端末２に接続を要求するため、接続要求及び前記端末２の電話番号ＴＮ２を前記終端ゲートウェイＧＷ１へ送り、前記終端ゲートウェイＧＷ１は、前記電話番号ＴＮ２を用いて前記端末1及び２の間の通信を識別するための回線識別番号ＣＩＣを定め、前記終端ゲートウェイＧＷ１は、前記端末２のＩＰアドレスＥＡ２及び前記端末２の接続制御を担う前記終端ゲートウェイＧＷ２のアドレス２を取得し、前記アドレス２を用いて前記接続要求を含む初期アドレスメッセージを前記終端ゲートウェイＧＷ２に送り、前記終端ゲートウェイＧＷ２は接続要求通知を前記端末２に送ると共に、アドレス完了メッセージを前記終端ゲートウェイＧＷ１へ送り、前記端末２から呼出中通知が前記終端ゲートウェイＧＷ２へ到達し、前記終端ゲートウェイＧＷ２が応答準備開始を知らせる前記呼出中通知を含む呼経過メッセージを形成して前記終端ゲートウェイＧＷ１へ送り、前記終端ゲートウェイＧＷ１は前記呼出中通知を前記端末１へ送り、前記端末２から応答を知らせる応答通知が前記終端ゲートウェイＧＷ２へ到達し、前記終端ゲートウェイＧＷ２が前記応答通知を含む応答メッセージを形成して前記終端ゲートウェイＧＷ１へ送り、前記終端ゲートウェイＧＷ１は前記応答通知を前記端末１へ送り、前記初期アドレスメッセージ、前記アドレス完了メッセージ、前記呼経過メッセージ及び前記応答メッセージは、前記回線識別番号ＣＩＣを含むことにより他の端末間通信用の接続制御メッセージと識別されており、以上により前記終端ゲートウェイＧＷ１及びＧＷ２の間に通信経路１２が定まり、前記通信経路１２は前記電話番号ＴＮ１及び前記電話番号ＴＮ２の組により識別され、
前記端末１及び２は前記通信回線１、終端ゲートウェイＧＷ１、前記通信経路１２、終端ゲートウェイＧＷ２、前記通信回線２を経由する通信を行い、回線識別番号ＣＩＣにより他の端末間通信用接続制御メッセージと容易かつ確実に識別され、終端ゲートウェイＧＷ通信用の通信回線と前記通信経路１２とがＩＰ転送網内で分離し、呼出中及び応答に関わる接続制御手順を経て送信元電話番号及び宛先電話番号の組により識別される前記通信経路１２が定まることを特徴とする端末間の通信接続制御方法。
【請求項３４】ＩＰ転送網は互いに通信可能な複数の終端ゲートウェイＧＷを含み、前記ＩＰ転送網外部にある複数の端末は通信回線を経て前記終端ゲートウェイＧＷのいずれかに接続され、端末１及び２はそれぞれ通信回線１及び２を経て終端ゲートウェイＧＷ１及びＧＷ２と接続され、
前記端末１は電話番号を用いて前記端末２に接続を要求するため、接続要求及び前記端末２の電話番号ＴＮ２を前記終端ゲートウェイＧＷ１へ送り、前記終端ゲートウェイＧＷ１は、前記ＴＮ２を基に前記端末２のＩＰアドレスＥＡ２及び前記端末２の接続制御を担う前記終端ゲートウェイＧＷ２のアドレス２を特定し、前記アドレス２を用いて前記接続要求を含む初期アドレスメッセージを前記終端ゲートウェイＧＷ２に送り、
前記終端ゲートウェイＧＷ１及びＧＷ２は、前記端末２から送出された応答準備開始を知らせる呼出中通知及び応答を知らせる応答通知をそれぞれ前記ＩＰ転送網を経由して前記端末１に転送するように接続制御を行い、以上により前記終端ゲートウェイＧＷ１及びＧＷ２の間に、前記端末１及び２が送受するＩＰパケットを転送するための通信経路１２を定めており、前記通信経路１２は前記端末１及び２の電話番号の組により識別され、
前記端末１及び端末２は前記通信回線１、前記終端ゲートウェイＧＷ１、前記通信経路１２、前記終端ゲートウェイＧＷ２、前記通信回線２を経て通信を行い、応答通知に関わる接続制御を経て送信元電話番号及び宛先電話番号の組により識別される前記通信経路１２が定まることを特徴とする端末間の通信接続制御方法。
【請求項３５】ＩＰ転送網は互いに通信可能な複数の終端ゲートウェイＧＷ及び運用管理サーバを含み、前記ＩＰ転送網外部にある複数の端末は通信回線を経て前記終端ゲートウェイＧＷのいずれかに接続され、端末１及び２はそれぞれ通信回線１及び２を経て終端ゲートウェイＧＷ１及びＧＷ２と接続され、
前記端末１及び２は前記ＩＰ転送網の外部に設置されると共に、それぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれゲートウェイ１及び２と接続され、前記ゲートウェイ１及び２はそれぞれ通信回線１及び２を経て終端ゲートウェイＧＷ１及びＧＷ２と接続され、
前記端末１は電話番号を用いて前記端末２に接続を要求するため、接続要求及び前記端末２の電話番号ＴＮ２を前記終端ゲートウェイＧＷ１へ送り、前記終端ゲートウェイＧＷ１は、前記ＴＮ２を基に前記端末２のＩＰアドレスＥＡ２及び前記端末２の接続制御を担う前記終端ゲートウェイＧＷ２のアドレス２を特定し、前記アドレス２を用いて前記接続要求を含む初期アドレスメッセージを前記終端ゲートウェイＧＷ２に送り、前記終端ゲートウェイＧＷ１及びＧＷ２は、前記端末２からの応答準備開始を知らせる呼出中通知及び応答を知らせる応答通知を前記端末１に転送する接続制御を行い、以上により前記終端ゲートウェイＧＷ１及びＧＷ２の間に通信経路１２が定まり、前記通信経路１２は前記電話番号ＴＮ１及び前記電話番号ＴＮ２の組により識別され、前記端末１は前記端末２から応答通知及び前記端末２のＩＰアドレスＥＡ２を受信しており、
前記端末１及び２は前記端末収容無線装置１、前記無線通信路１、前記無線送受信部１、前記ゲートウェイ１、前記通信回線１、前記終端ゲートウェイＧＷ１、前記通信経路１２、前記終端ゲートウェイＧＷ２、前記通信回線２、前記ゲートウェイ２、前記無線送受信部２、前記無線通信路２、前記端末収容無線装置２を経由する通信を行い、
前記端末１又は２の通信切断要求に基づいて、前記終端ゲートウェイＧＷ１及ＧＷ２は解放メッセージ及び解放完了メッセージを送受して端末間通信を終了すると、前記運用管理サーバは前記端末間通信の送信元電話番号及び宛先電話番号、通信時刻を通信管理情報若しくは課金情報として記録し、呼出中及び応答に関わる接続制御手順を経て前記送信元電話番号及び宛先電話番号の組により識別される前記通信経路１２が定まることを特徴とする端末間の通信接続制御方法。
【請求項３６】ＩＰ転送網は互いに通信可能な複数の終端ゲートウェイＧＷ及び運用管理サーバを含み、前記ＩＰ転送網外部にある複数の端末は通信回線を経て前記終端ゲートウェイＧＷのいずれかに接続され、端末１及び２はそれぞれ通信回線１及び２を経て終端ゲートウェイＧＷ１及びＧＷ２と接続され、
前記端末１及び２は前記ＩＰ転送網の外部に設置されると共に、それぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれゲートウェイ１及び２と接続され、前記ゲートウェイ１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を前記終端ゲートウェイＧＷ１へ送り、前記終端ゲートウェイＧＷ１は、前記ＴＮ２を基に前記端末２のＩＰアドレスＥＡ２及び前記端末２の接続制御を担う前記終端ゲートウェイＧＷ２のアドレス２を特定し、前記アドレス２を用いて前記接続要求を含む初期アドレスメッセージを前記終端ゲートウェイＧＷ２に送り、前記終端ゲートウェイＧＷ１及びＧＷ２は、前記端末２からの応答準備開始を知らせる呼出中通知及び応答を知らせる応答通知を前記端末１に転送する接続制御を行い、以上により前記終端ゲートウェイＧＷ１及びＧＷ２の間に通信経路１２が定まり、前記通信経路１２は前記電話番号ＴＮ１及び前記電話番号ＴＮ２の組により識別され、
前記端末１及び２は前記端末収容無線装置１、前記無線通信路１、前記無線送受信部１、前記ゲートウェイ１、通信回線１、前記終端ゲートウェイＧＷ１、前記通信経路１２、前記終端ゲートウェイＧＷ２、通信回線２、前記ゲートウェイ２、前記無線送受信部２、前記無線通信路２、前記端末収容無線装置２を経由する通信を行い、応答通知に関わる接続制御手順を経て送信元電話番号及び宛先電話番号の組により識別される前記通信経路１２が定まることを特徴とする端末間の通信接続制御方法。
【請求項３７】前記接続サーバＳ１及びＳ２、ドメイン名サーバ１及び運用管理サーバ１を一体化して中央ゲートウェイＧＷとして実施し、前記網ノード装置1及び２、前記中央ゲートウェイＧＷは前記ＩＰ転送網内の通信回線により接続し、前記ＩＰ転送網外部の複数の端末は通信回線を経て前記網ノード装置のいずれかに接続され、端末１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を前記中央ゲートウェイＧＷへ送り、前記中央ゲートウェイＧＷは、前記電話番号ＴＮ２から前記端末２のＩＰアドレスＥＡ２を決定し、前記中央ゲートウェイＧＷは前記接続要求に基づく接続要求通知を前記端末２に送り、前記端末２から応答準備開始を知らせる呼出中通知が前記中央ゲートウェイＧＷへ到達し、前記中央ゲートウェイＧＷは前記呼出中通知を前記端末１へ送り、前記端末２から応答を知らせる応答通知が前記中央ゲートウェイＧＷへ到達し、前記中央ゲートウェイＧＷは前記応答通知及び前記端末２のＩＰアドレスＥＡ２を前記端末１へ送り、以上により前記網ノード装置１及び２の間に通信経路１２が定まり、前記通信経路１２は前記電話番号ＴＮ１及び前記電話番号ＴＮ２の組により識別され、
前記端末１及び２は前記通信回線１、前記網ノード装置１、前記通信経路１２、前記網ノード装置２、前記通信回線２を経由する通信を行い得る請求項１９に記載の端末間の通信接続制御方法。
【請求項３８】ＩＰ転送網は複数の網ノード装置及び中央ゲートウェイＧＷを含み、前記網ノード装置及び前記中央ゲートウェイＧＷは前記ＩＰ転送網内の通信回線で接続され、前記ＩＰ転送網外部の複数の端末は通信回線を経て前記網ノード装置のいずれかに接続され、端末１及び２はそれぞれ通信回線１及び２を経て網ノード装置１及び２と接続され、
前記端末１は電話番号を用いて前記端末２に接続を要求するため、接続要求及び前記端末２の電話番号ＴＮ２を前記中央ゲートウェイＧＷへ送り、前記中央ゲートウェイＧＷは前記電話番号ＴＮ２を基に前記端末２のＩＰアドレスＥＡ２を決定し、前記接続要求に基づく接続要求通知を前記端末２へ送り、前記端末２から応答準備開始を知らせる呼出中通知が前記中央ゲートウェイＧＷへ到達すると、前記中央ゲートウェイＧＷは前記呼出中通知を前記端末１へ送り、前記端末２から応答を知らせる応答通知が前記中央ゲートウェイＧＷへ到達すると、前記中央ゲートウェイＧＷは前記応答通知を前記端末１へ送り、以上により前記網ノード装置１及び２の間に通信経路１２が定まり、前記通信経路１２は前記電話番号ＴＮ１及び前記電話番号ＴＮ２の組により識別され、
前記端末１は前記通信回線１、前記網ノード装置１、前記通信経路１２、前記網ノード装置２、前記通信回線２を経由して前記端末２と通信を行い、呼出中及び応答に関わる接続制御手順を経て送信元電話番号及び宛先電話番号の組により識別される前記通信経路１２が定まることを特徴とする端末間の通信接続制御方法。
【請求項３９】ＩＰ転送網は複数の網ノード装置及び中央ゲートウェイＧＷを含み、前記網ノード装置及び前記中央ゲートウェイＧＷは前記ＩＰ転送網内の通信回線により接続し、複数の端末が前記ＩＰ転送網の外部に設置され、
端末１及び２はそれぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれゲートウェイ１及び２と接続され、前記ゲートウェイ１及び２は通信回線１及び２を経てそれぞれ前記網ノード装置１及び２と接続され、
前記端末１は電話番号を用いて前記端末２に接続を要求するため、接続要求及び前記端末２の電話番号ＴＮ２を前記中央ゲートウェイＧＷへ送り、前記中央ゲートウェイＧＷは前記電話番号ＴＮ２を基に前記端末２のＩＰアドレスＥＡ２を決定し、前記接続要求に基づく接続要求通知を前記端末２へ送り、前記端末２から応答準備開始を知らせる呼出中通知が前記中央ゲートウェイＧＷへ到達すると、前記中央ゲートウェイＧＷは前記呼出中通知を前記端末１へ送り、前記端末２から応答を知らせる応答通知が前記中央ゲートウェイＧＷへ到達すると、前記中央ゲートウェイＧＷは前記応答通知を前記端末１へ送り、以上により前記網ノード装置１及び２の間に通信経路１２が定まり、前記通信経路１２は前記電話番号ＴＮ１及び前記電話番号ＴＮ２の組により識別され、
前記端末１及び２は前記端末収容無線装置１、前記無線通信路１、前記無線送受信部１、前記ゲートウェイ１、前記通信回線１、前記網ノード装置１、前記通信経路１２、前記網ノード装置２、前記通信回線２、前記ゲートウェイ２、前記無線送受信部２、前記無線通信路２、前記端末収容無線装置２を経由する通信を行い、
前記端末１又は２の通信切断要求に基づいて、前記中央ゲートウェイＧＷは端末間通信を終了すると共に、前記端末間通信の送信元電話番号及び宛先電話番号、通信時刻を通信管理情報若しくは課金情報として記録し、呼出中及び応答に関わる接続制御手順を経て前記送信元電話番号及び宛先電話番号の組により識別される前記通信経路１２が定まることを特徴とする端末間の通信接続制御方法。
【請求項４０】ＩＰ転送網は中央ゲートウェイＧＷを含み、前記ＩＰ転送網外部の複数の端末は通信回線を経て前記ＩＰ転送網に接続され、端末１及び２はそれぞれ通信回線１及び２を経て前記ＩＰ転送網に接続されると共に、前記ＩＰ転送網内の通信回線を経て前記中央ゲートウェイＧＷと接続され、
前記端末１は電話番号を用いて前記端末２に接続を要求するため、接続要求及び前記端末２の電話番号ＴＮ２を前記中央ゲートウェイＧＷへ送り、前記中央ゲートウェイＧＷは前記電話番号ＴＮ２を基に前記端末２のＩＰアドレスＥＡ２を決定し、前記接続要求に基づく接続要求通知を前記端末２へ送り、前記端末２から応答準備開始を知らせる呼出中通知が前記中央ゲートウェイＧＷへ到達すると、前記中央ゲートウェイＧＷは前記呼出中通知を前記端末１へ送り、前記端末２から応答を知らせる応答通知が前記中央ゲートウェイＧＷへ到達すると前記中央ゲートウェイＧＷは前記応答通知を前記端末１へ送り、以上により前記ＩＰ転送網内の内部に通信経路１２が定まり、前記通信経路１２は前記電話番号ＴＮ１及び前記電話番号ＴＮ２の組により識別され、
前記端末１は前記通信回線１、前記通信経路１２、前記通信回線２を経由して前記端末２と通信を行い、前記中央ゲートウェイＧＷは前記端末１又は２の通信切断要求に基づいて端末間通信を終了し、前記中央ゲートウェイＧＷは前記端末間通信の送信元電話番号及び宛先電話番号、通信時刻を通信管理情報若しくは課金情報として記録し、呼出中及び応答に関わる接続制御手順を経て前記送信元電話番号及び宛先電話番号の組により識別される前記通信経路１２が定まることを特徴とする端末間の通信接続制御方法。
【請求項４１】ＩＰ転送網は中央ゲートウェイＧＷを含み、複数の端末が前記ＩＰ転送網の外部に設置され、端末１及び２はそれぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれ通信回線１及び２を経て共に前記ＩＰ転送網に接続されると共に、前記ＩＰ転送網内の通信回線を経て前記中央ゲートウェイＧＷと接続され、
前記端末１は電話番号を用いて前記端末２に接続を要求するため、接続要求及び前記端末２の電話番号ＴＮ２を前記中央ゲートウェイＧＷへ送り、前記中央ゲートウェイＧＷは前記電話番号ＴＮ２を基に前記端末２のＩＰアドレスＥＡ２を決定し、前記接続要求に基づく接続要求通知を前記端末２へ送り、前記端末２から応答準備開始を知らせる呼出中通知が前記中央ゲートウェイＧＷへ到達すると、前記中央ゲートウェイＧＷは前記呼出中通知を前記端末１へ送り、前記端末２から応答を知らせる応答通知が前記中央ゲートウェイＧＷへ到達すると前記中央ゲートウェイＧＷは前記応答通知及び前記端末２のＩＰアドレスＥＡ２を前記端末１へ送り、以上により前記ＩＰ転送網内に通信経路１２が定まり、前記通信経路１２は前記電話番号ＴＮ１及び前記電話番号ＴＮ２の組により識別され、
前記端末１及び２は前記端末収容無線装置１、前記無線通信路１、前記無線送受信部１、前記ゲートウェイ１、前記通信回線１、前記通信経路１２、前記通信回線２、前記ゲートウェイ２、前記無線送受信部２、前記無線通信路２、前記端末収容無線装置２を経由する通信を行い、
前記端末１又は２の通信切断要求に基づいて、前記中央ゲートウェイＧＷは端末間通信を終了すると共に、前記端末間通信の送信元電話番号及び宛先電話番号、通信時刻を通信管理情報若しくは課金情報として記録し、呼出中及び応答に関わる接続制御手順を経て前記送信元電話番号及び宛先電話番号の組により識別される前記通信経路１２が定まることを特徴とする端末間の通信接続制御方法。
【請求項４２】ＩＰ転送網は中央ゲートウェイＧＷを含み、複数の端末が前記ＩＰ転送網の外部に設置され、端末１及び２はそれぞれ端末収容無線装置１及び２と接続され、前記端末収容無線装置１及び２はそれぞれ無線通信路１及び２を経由して無線送受信部１及び２と通信接続され、前記無線送受信部１及び２はそれぞれ通信回線１及び２を経て共に前記ＩＰ転送網に接続されると共に、前記ＩＰ転送網内の通信回線を経て前記中央ゲートウェイＧＷと接続され、
前記端末１は電話番号を用いて前記端末２に接続を要求するため、接続要求及び前記端末２の電話番号ＴＮ２を前記中央ゲートウェイＧＷへ送り、前記中央ゲートウェイＧＷは前記電話番号ＴＮ２を基に前記端末２のＩＰアドレスＥＡ２を決定し、前記接続要求に基づく接続要求通知を前記端末２へ送り、前記端末２から応答準備開始を知らせる呼出中通知が前記中央ゲートウェイＧＷへ到達すると、前記中央ゲートウェイＧＷは前記呼出中通知を前記端末１へ送り、前記端末２から応答を知らせる応答通知が前記中央ゲートウェイＧＷへ到達すると、前記中央ゲートウェイＧＷは前記応答通知を前記端末１へ送り、以上により前記ＩＰ転送網内に通信経路１２が定まり、前記通信経路１２は前記電話番号ＴＮ１及び前記電話番号ＴＮ２の組により識別され、
前記端末１及び２は前記端末収容無線装置１、前記無線通信路１、前記無線送受信部１、前記ゲートウェイ１、前記通信回線１、前記通信経路１２、前記通信回線２、ゲートウェイ２、前記無線送受信部２、前記無線通信路２、前記端末収容無線装置２を経由する通信を行い、呼出中及び応答に関わる接続制御手順を経て送信元電話番号及び宛先電話番号の組により識別される前記通信経路１２が定まることを特徴とする端末間の通信接続制御方法。
【請求項４３】ＩＰ転送網Ａ及びＢはそれぞれ複数の終端ゲートウェイ及び１以上の中継ゲートウェイを含み、前記終端ゲートウェイ及び前記中継ゲートウェイはそれぞれ前記ＩＰ転送網Ａ及びＢ内の通信回線で接続され、
前記終端ゲートウェイは網ノード装置、接続サーバ及びドメイン名サーバを含み、前記中継ゲートウェイは中継接続サーバを含み、
前記ＩＰ転送網Ａは終端ゲートウェイＧＷ１及び中継ゲートウェイＧＷ２を含み、
前記ＩＰ転送網Ｂは中継ゲートウェイＧＷ３及び終端ゲートウェイＧＷ４を含み、
前記終端ゲートウェイＧＷ１及びＧＷ４はそれぞれ網ノード装置１及び４、接続サーバＳ１及びＳ４及びドメイン名サーバ１及び４を含み、前記中継ゲートウェイＧＷ２及びＧＷ３はそれぞれ中継接続サーバＳ２及びＳ３、ドメイン名サーバ２及び３を含み、前記中継ゲートウェイＧＷ２及びＧＷ３は中継回線ＡＢにより接続されており、端末１及び４はそれぞれ通信回線１及び４により前記網ノード装置１及び４に接続され、
前記端末１は電話番号を用いて前記端末４に接続を要求するため、接続要求及び前記端末４の電話番号ＴＮ４を前記接続サーバＳ１へ送り、前記接続サーバＳ１は前記電話番号ＴＮ４をドメイン名サーバ１に提示して、前記端末４のＩＰアドレスＥＡ４及び前記端末４の接続制御を担う前記中継接続サーバＳ２のアドレス２を取得し、前記アドレス２を用いて前記接続要求を含む初期アドレスメッセージを前記中継接続サーバＳ２に送り、前記中継接続サーバＳ２は前記初期アドレスメッセージ内の宛先電話番号ＴＮ４を参照し、前記初期アドレスメッセージを前記中継接続サーバＳ３に送出し、
前記中継接続サーバＳ３は前記電話番号ＴＮ４をドメイン名サーバ３に提示して、前記端末４の接続制御を担う前記接続サーバＳ４のアドレス４を特定し、前記アドレス４を用いて前記初期アドレスメッセージを前記接続サーバＳ４に送り、前記接続サーバＳ４は前記初期アドレスメッセージを受信すると、
前記接続要求に基づく接続要求通知を前記端末４に送ると共に、前記初期アドレスメッセージ受信を確認するアドレス完了メッセージを形成して前記中継接続サーバＳ３へ送出し、前記中継接続サーバＳ３は前記アドレス完了メッセージを前記中継接続サーバＳ２に転送し、前記中継接続サーバＳ２は前記完了メッセージを前記接続サーバＳ１に転送し、前記接続サーバＳ１は前記完了メッセージを受信し、前記端末４から応答準備開始を知らせる呼出中通知が前記接続サーバＳ４へ到達すると、接続サーバＳ４は前記呼出中通知を含む呼経過メッセージを形成して前記中継接続サーバＳ３へ送り、前記呼経過メッセージは前記中継接続サーバＳ２を経て前記接続サーバＳ１に到達し、前記接続サーバＳ１は受信した前記呼出中通知を前記端末１へ送り、前記端末４から応答を知らせる応答通知が前記接続サーバＳ４へ到達すると、前記接続サーバＳ４は前記応答通知を含む応答メッセージを形成して前記中継接続サーバＳ３へ送り、前記応答メッセージは前記中継接続サーバＳ２を経て前記接続サーバＳ１に到達し、前記接続サーバＳ１は受信した前記応答通知を前記端末１へ送り、
前記接続制御が行われて前記終端ゲートウェイＧＷ１及びＧＷ４の間に前記中継回線ＡＢを通過する通信経路１４が定まり、前記通信経路１２は前記電話番号ＴＮ１及び前記電話番号ＴＮ４の組により識別され、前記端末１は前記端末４から送信された応答通知を受信しており、
前記端末１及び端末４は前記通信回線１、前記終端ゲートウェイＧＷ１、前記通信経路１４、前記終端ゲートウェイＧＷ４、前記通信回線４を経て通信を行い、異なるＩＰ転送網Ａ及びＢに属する終端ゲートウェイ及び中継ゲートウェイとが連携して接続制御を行い、呼出中及び応答に関わる接続制御手順を経て送信元電話番号及び宛先電話番号の組により識別される前記通信経路１２が定まることを特徴とする端末間の通信接続制御方法。
【請求項４４】ＩＰ転送網Ａ及びＢはそれぞれ複数の終端ゲートウェイ及び１以上の中継ゲートウェイを含み、
前記ＩＰ転送網Ａは終端ゲートウェイＧＷ１及び中継ゲートウェイＧＷ２を含み、
前記ＩＰ転送網Ｂは中継ゲートウェイＧＷ３及び終端ゲートウェイＧＷ４を含み、
前記中継ゲートウェイＧＷ２及びＧＷ３は中継回線ＡＢにより接続されており、端末１及び４はそれぞれ通信回線１及び４により前記中継ゲートウェイＧＷ１及びＧＷ４に接続され、
前記端末１は電話番号を用いて前記端末４に接続を要求するため、接続要求及び前記端末４の電話番号ＴＮ４を前記終端ゲートウェイＧＷ１へ送り、前記終端ゲートウェイＧＷ１は、前記端末４のＩＰアドレスＥＡ４及び前記端末４の接続制御を担う前記中継ゲートウェイＧＷ２のアドレス２を特定し、前記アドレス２を用いて前記接続要求を含む初期アドレスメッセージを前記中継ゲートウェイＧＷ２に送り、前記中継ゲートウェイＧＷ２は、前記初期アドレスメッセージ内の宛先電話番号ＴＮ４を参照し、前記初期アドレスメッセージを前記中継ゲートウェイＧＷ３に送出し、前記中継ゲートウェイＧＷ３は前記端末４の接続制御を担う前記中継ゲートウェイＧＷ４のアドレス４を特定し、前記アドレス４を用いて前記初期アドレスメッセージを前記終端ゲートウェイＧＷ４に送り、前記終端ゲートウェイＧＷ４は前記初期アドレスメッセージを受信すると、
前記接続要求に基づく接続要求通知を前記端末４に送ると共に、アドレス完了メッセージを形成して前記中継ゲートウェイＧＷ３へ送出し、前記中継ゲートウェイＧＷ３は前記アドレス完了メッセージを前記中継ゲートウェイＧＷ２に転送し、前記中継ゲートウェイＧＷ２は前記完了メッセージを前記終端ゲートウェイＧＷ１に転送し、前記終端ゲートウェイＧＷ１は前記完了メッセージを受信し、前記端末４から応答準備開始を知らせる呼出中通知が前記終端ゲートウェイＧＷ４へ到達すると、前記終端ゲートウェイＧＷ４は前記呼出中通知を含む呼経過メッセージを形成して前記中継ゲートウェイＧＷ３へ送り、前記呼経過メッセージは前記中継ゲートウェイＧＷ２を経て前記終端ゲートウェイＧＷ１に到達し、前記終端ゲートウェイＧＷ１は受信した前記呼出中通知を前記端末１へ送り、前記端末４から応答を知らせる応答通知が前記終端ゲートウェイＧＷ４へ到達すると、前記終端ゲートウェイＧＷ４は、前記応答通知を含む応答メッセージを形成して前記中継ゲートウェイＧＷ３へ送り、前記応答メッセージは前記中継ゲートウェイＧＷ２を経て前記終端ゲートウェイＧＷ１に到達し、前記終端ゲートウェイＧＷ１は受信した前記応答通知及び前記端末４のＩＰアドレスＥＡ４を前記端末１へ送り、前記接続制御が行なわれて前記終端ゲートウェイＧＷ１及びＧＷ４の間に前記中継回線ＡＢを通過する通信経路１４が定まり、前記通信経路１２は前記電話番号ＴＮ１及び前記電話番号ＴＮ４の組により識別され、前記端末１は、応答通知を受信しており、
前記端末１及び端末４は前記通信回線１、前記終端ゲートウェイＧＷ１、前記通信経路１４、前記終端ゲートウェイＧＷ４、前記通信回線４を経て通信を行い、異なるＩＰ転送網Ａ及びＢに属する終端ゲートウェイ及び中継ゲートウェイとが連携して接続制御を行い、呼出中及び応答に関わる接続制御手順を経て送信元電話番号及び宛先電話番号の組により識別される前記通信経路１４が定まることを特徴とする端末間の通信接続制御方法。
【請求項４５】ＩＰ転送網Ａ及びＢはそれぞれ複数の終端ゲートウェイ及び１以上の中継ゲートウェイを含み、
前記ＩＰ転送網Ａは終端ゲートウェイＧＷ１及び中継ゲートウェイＧＷ２を含み、
前記ＩＰ転送網Ｂは中継ゲートウェイＧＷ３及び終端ゲートウェイＧＷ４を含み、
前記中継ゲートウェイＧＷ２及びＧＷ３は中継回線ＡＢにより接続されており、端末１及び４はそれぞれ通信回線１及び４により前記中継ゲートウェイＧＷ１及びＧＷ４に接続され、
前記端末１は電話番号を用いて前記端末４に接続を要求するため、接続要求及び前記端末４の電話番号ＴＮ４を前記終端ゲートウェイＧＷ１へ送り、前記終端ゲートウェイＧＷ１は前記端末４の接続制御を担う前記中継ゲートウェイＧＷ２のアドレス４を取得し、前記アドレス２を用いて前記接続要求を含む初期アドレスメッセージを前記中継ゲートウェイＧＷ２に送り、前記終端ゲートウェイＧＷ１及び前記終端ゲートウェイＧＷ４との間で前記中継ゲートウェイＧＷ２及び前記中継ゲートウェイＧＷ３を経由し、前記端末４から前記端末１へ応答準備開始を知らせる呼出中通知及び応答を知らせる応答通知を転送する手順を含む接続制御が行われ、前記接続制御が行なわれて前記終端ゲートウェイＧＷ１及びＧＷ４の間に前記中継回線ＡＢを通過する通信経路１４が定まり、前記通信経路１４は前記電話番号ＴＮ１及び前記電話番号ＴＮ４の組により識別され、前記端末１は前記応答通知を受信しており、
前記端末１及び端末４は前記通信回線１、前記終端ゲートウェイＧＷ１、前記通信経路１４、前記終端ゲートウェイＧＷ４、前記通信回線４を経て通信を行い、異なるＩＰ転送網Ａ及びＢに属する終端ゲートウェイ及び中継ゲートウェイとが連携して接続制御を行い、呼出中及び応答に関わる接続制御手順を経て送信元電話番号及び宛先電話番号の組により識別される前記通信経路１４が定まることを特徴とする端末間の通信接続制御方法。
【請求項４６】ＩＰ転送網はドメイン名サーバを含み、通信回線を経て複数の端末に接続されており、端末１及び２はそれぞれ通信回線１及び２を経て前記ＩＰ転送網に接続され、
前記端末１は電話番号を用いて前記端末２に接続を要求するため、接続要求及び前記端末２の電話番号ＴＮ２、前記端末１の電話番号ＴＮ１、前記端末１のＩＰアドレスＥＡ１及びメディアポート番号ＰＮ１を含むＩＰパケットを前記ＩＰ転送網へ送信し、前記ＩＰ転送網は前記接続要求を含む前記ＩＰパケットを受信し、前記接続要求に基づく接続要求通知、前記端末１の電話番号ＴＮ１，前記ＩＰアドレスＥＡ１及び前記メディアポート番号ＰＮ１を含むＩＰパケットを前記端末２に送出し、
前記端末２は、応答準備開始を知らせる呼出中通知を含むＩＰパケットを前記ＩＰ転送網に送出し、前記ＩＰ転送網は前記呼出中通知を含むＩＰパケットを受信し、前記呼出中通知を含むＩＰパケットを前記端末１に送出し、
前記端末２が前記呼出に応答し、応答を知らせる応答通知及び前記端末２のメディアポート番号ＰＮ２を含むＩＰパケットを送出し、前記ＩＰ転送網は前記ＩＰパケットを受信すると、前記応答通知、前記電話番号ＴＮ２を基に前記ドメイン名サーバを用いて取得している前記端末２のＩＰアドレスＥＡ２及び前記メディアポート番号ＰＮ２を含むＩＰパケットを前記端末１に送出し、前記ＩＰ転送網はその内部に前記端末１及び端末２が送受するＩＰパケットを転送するための通信経路１２を定めており、前記通信経路１２は、前記電話番号ＴＮ１及び前記電話番号ＴＮ２の組により識別され、
前記端末１が、送信元アドレスは前記ＩＰアドレスＥＡ１、宛先アドレスは前記ＩＰアドレスＥＡ２、送信元ポート番号は前記メディアポート番号ＰＮ１，宛先ポート番号は前記メディアポート番号ＰＮ２であるＩＰパケットを前記通信回線１を経て前記ＩＰ転送網に送信すると、前記ＩＰパケットは前記通信経路１２を転送され、前記通信回線２を経て前記端末２へ到達し、前記端末１又は端末２から切断要求を含むＩＰパケットを受信すると前記通信経路１２の設定を解放し、端末間通信が終了すると前記ＩＰ転送網は前記端末間通信の送信元及び宛先電話番号、通信時刻を通信管理情報若しくは課金情報として記録し、端末のアドレス及びメディアポート番号を端末間で送受し、呼出中及び応答に関わる接続制御手順を経て送信元電話番号及び宛先電話番号の組により識別される前記通信経路１２が定まることを特徴とする端末間の通信接続制御方法。
【請求項４７】ＩＰ転送網は通信回線を経て複数の端末に接続されており、端末１及び２はそれぞれ通信回線１及び２を経て前記ＩＰ転送網に接続され、
前記端末１は電話番号を用いて前記端末２に接続を要求するため、接続要求及び前記端末２の電話番号ＴＮ２を含むＩＰパケットを前記ＩＰ転送網へ送信し、前記ＩＰ転送網は前記接続要求を含む前記ＩＰパケットを受信し、前記接続要求に基づく接続要求通知を含むＩＰパケットを前記端末２に送出し、
前記端末２は、応答準備開始を知らせる呼出中通知を含むＩＰパケットを前記ＩＰ転送網に送出し、前記ＩＰ転送網は前記呼出中通知を含むＩＰパケットを受信し、前記呼出中通知を含むＩＰパケットを前記端末１に送出し、
前記端末２が、応答を知らせる応答通知を含むＩＰパケットを送出し、前記ＩＰ転送網は前記ＩＰパケットを受信すると、前記応答通知及び前記端末２のＩＰアドレスＥＡ２を含むＩＰパケットを前記端末１に送出し、前記ＩＰ転送網はその内部に前記端末１及び端末２が送受するＩＰパケットを転送するための通信経路１２を定めており、前記通信経路１２は前記電話番号ＴＮ１及び前記電話番号ＴＮ２の組により識別され、
前記端末１が、ＩＰパケットを前記通信回線１を経て前記ＩＰ転送網に送信すると、前記ＩＰパケットは前記通信経路１２を転送されて前記端末２に到達し、呼出中及び応答に関わる接続制御手順を経て送信元電話番号及び宛先電話番号の組により識別される前記通信経路１２が定まることを特徴とする端末間の通信接続制御方法。
【請求項４８】ＩＰ転送網は通信回線を経て複数の端末に接続されており、端末１及び２はそれぞれ通信回線１及び２を経て前記ＩＰ転送網に接続され、
前記端末１は電話番号を用いて前記端末２に接続を要求するため、接続要求及び前記端末２の電話番号ＴＮ２を含むＩＰパケットを前記ＩＰ転送網へ送信し、前記ＩＰ転送網は前記接続要求を含む前記ＩＰパケットを受信し、前記接続要求に基づく接続要求通知を含むＩＰパケットを前記端末２に送出し、
前記端末２が、応答を知らせる応答通知を含むＩＰパケットを送出し、前記ＩＰ転送網は前記ＩＰパケットを受信し、前記ＩＰ転送網はその内部に前記端末１及び端末２が送受するＩＰパケットを転送するための通信経路１２を定めており、前記通信経路１２は前記電話番号ＴＮ１及び前記電話番号ＴＮ２の組により識別され、
前記端末１が、ＩＰパケットを前記通信回線１を経て前記ＩＰ転送網に送信すると、前記ＩＰパケットは前記通信経路１２を転送されて前記端末２に到達し、送信元電話番号及び宛先電話番号の組により識別される前記通信経路１２が定まることを特徴とする端末間の通信接続制御方法。
【請求項４９】ＩＰ転送網は、中央ゲートウェイＧＷを含み、複数の端末が通信回線によりＩＰ転送網に接続され、端末１及び２はそれぞれ通信回線１及び２を経て前記ＩＰ転送網に接続され、
前記端末１は電話番号を用いて前記端末２に接続を要求するため、接続要求及び前記端末２の電話番号ＴＮ２を含むＩＰパケットを前記中央ゲートウェイＧＷへ送信し、前記中央ゲートウェイＧＷは前記接続要求を含むＩＰパケットを受信し、前記接続要求に基づく接続要求通知を含むＩＰパケットを前記端末２に送出し、前記端末２が応答を知らせる応答通知を含むＩＰパケットを送出し、前記中央ゲートウェイＧＷは前記ＩＰパケットを受信し、前記中央ゲートウェイＧＷは前記ＩＰ転送網内に前記端末1及び２が送受するＩＰパケットを転送するための通信経路１２を定めており、前記通信経路１２は前記電話番号ＴＮ１及び前記電話番号ＴＮ２の組により識別され、
前記端末１がＩＰパケットを前記通信回線１を経て前記ＩＰ転送網に送信すると、前記ＩＰパケットは前記通信経路１２を転送されて、前記通信回線２を経由して前記端末２に到達し、送信元電話番号及び宛先電話番号の組により識別される前記通信経路１２が定まることを特徴とする端末間の通信接続制御方法。
【請求項５０】ＩＰ転送網は、接続サーバＸ及びドメイン名サーバを含み、前記接続サーバＸ及び前記ドメイン名サーバは前記ＩＰ転送網内の通信回線で接続され、前記ＩＰ転送網の外部にある複数の端末が通信回線により前記ＩＰ転送網に接続され、端末１及び２はそれぞれ通信回線１及び２を経て前記ＩＰ転送網に接続され、
前記端末１は電話番号を用いて前記端末２に接続を要求するため、接続要求及び前記端末２の電話番号ＴＮ２を含むＩＰパケットを接続サーバＸへ送信し、前記接続サーバＸは前記接続要求を含むＩＰパケットを受信し、前記電話番号ＴＮ２を前記ドメイン名サーバに提示して、前記端末２のＩＰアドレスＥＡ２を取得し、前記接続要求に基づく接続要求通知を含むＩＰパケットを前記端末２に送出し、前記端末２が応答を知らせる応答通知を含むＩＰパケットを送出し、前記接続サーバＸは前記ＩＰパケットを受信し、前記接続サーバＸは、前記ＩＰ転送網内に、前記端末1及び２が送受するＩＰパケットを転送するための通信経路１２を定めており、前記通信経路１２は前記電話番号ＴＮ１及び前記電話番号ＴＮ２の組により識別され、
前記端末１がＩＰパケットを、前記通信回線１を経て前記ＩＰ転送網に送信すると、前記ＩＰパケットは前記通信経路１２を転送されて、前記通信回線２を経由して前記端末２に到達し、
送信元電話番号及び宛先電話番号の組により識別される前記通信経路１２が定まることを特徴とする端末間の通信接続制御方法。
【請求項５１】ＩＰ転送網は、接続サーバＳ１及びＳ２を含み、前記接続サーバＳ１及びＳ２は前記ＩＰ転送網内の通信回線で接続され、複数の端末が通信回線により前記ＩＰ転送網に接続され、端末１及び２はそれぞれ通信回線１及び２を経て前記ＩＰ転送網に接続され、
前記端末１は電話番号を用いて前記端末２に接続を要求するため、接続要求及び前記端末２の電話番号ＴＮ２を含むＩＰパケットを接続サーバＳ１へ送信し、前記接続サーバＳ１は前記接続要求を含むＩＰパケットを受信して、前記接続要求を前記接続サーバＳ２に送り、前記接続サーバＳ２は、前記接続要求に基づく接続要求通知を含むＩＰパケットを前記端末２に送出し、前記端末２が応答を知らせる応答通知を含むＩＰパケットを送出し、前記接続サーバＳ２は前記ＩＰパケットを受信し、前記接続サーバＳ１及びＳ２は前記ＩＰ転送網内に前記端末１及び２が送受するＩＰパケットを転送するための通信経路１２を定めており、前記通信経路１２は前記電話番号ＴＮ１及び前記電話番号ＴＮ２の組により識別され、
前記端末１がＩＰパケットを、前記通信回線１に送信すると、前記ＩＰパケットは前記通信経路１２を転送されて、前記通信回線２を経由して前記端末２に到達し、前記送信元電話番号及び前記宛先電話番号の組により識別される前記通信経路１２が定まることを特徴とする端末間の通信接続制御方法。
【請求項５２】ＩＰ転送網は、複数の網ノード装置及び中央ゲートウェイＧＷを含み、前記網ノード装置及び前記中央ゲートウェイＧＷは前記ＩＰ転送網内の通信回線で接続され、複数の端末が通信回線により前記網ノード装置のいずれかに接続され、端末１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を含むＩＰパケットを前記中央ゲートウェイＧＷへ送信し、前記中央ゲートウェイＧＷは前記接続要求を含むＩＰパケットを受信し、前記接続要求に基づく接続要求通知を含むＩＰパケットを前記端末２に送出し、前記端末２が応答を知らせる応答通知を含むＩＰパケットを送出し、前記中央ゲートウェイＧＷは前記ＩＰパケットを受信し、前記中央ゲートウェイＧＷは前記網ノード装置１及び２の間に前記端末1及び２が送受するＩＰパケットを転送するための通信経路１２を定めており、前記通信経路１２は前記電話番号ＴＮ１及び前記電話番号ＴＮ２の組により識別され、
前記端末１がＩＰパケットを前記通信回線１を経て前記網ノード装置１に送信すると、前記ＩＰパケットは前記通信経路１２を転送されて、前記網ノード装置２、前記通信回線２を経由して前記端末２に到達し、
送信元電話番号及び宛先電話番号の組により識別される前記通信経路１２が定まることを特徴とする端末間の通信接続制御方法。
【請求項５３】ＩＰ転送網は、複数の網ノード装置、接続サーバＸ及びドメイン名サーバを含み、前記網ノード装置、前記接続サーバＸ及び前記ドメイン名サーバは前記ＩＰ転送網内の通信回線で接続され、前記ＩＰ転送網の外部にある複数の端末が通信回線により前記網ノード装置のいずれかに接続され、端末１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を含むＩＰパケットを接続サーバＸへ送信し、前記接続サーバＸは前記接続要求を含むＩＰパケットを受信し、前記電話番号ＴＮ２を前記ドメイン名サーバに提示して、前記端末２のＩＰアドレスＥＡ２を取得し、前記接続要求に基づく接続要求通知を含むＩＰパケットを前記端末２に送出し、前記端末２が応答を知らせる応答通知を含むＩＰパケットを送出し、前記接続サーバＸは前記ＩＰパケットを受信し、前記接続サーバＸは前記網ノード装置１及び２の間に前記端末1及び２が送受するＩＰパケットを転送するための通信経路１２を定めており、前記通信経路１２は前記電話番号ＴＮ１及び前記電話番号ＴＮ２の組により識別され、
前記端末１がＩＰパケットを、前記通信回線１を経て前記網ノード装置１に送信すると、前記ＩＰパケットは前記通信経路１２を転送されて、前記網ノード装置２、前記通信回線２を経由して前記端末２に到達し、
送信元電話番号及び宛先電話番号の組により識別される前記通信経路１２が定まることを特徴とする端末間の通信接続制御方法。
【請求項５４】ＩＰ転送網は、複数の網ノード装置、接続サーバＳ１及びＳ２を含み、前記網ノード装置、前記接続サーバＳ１及びＳ２は前記ＩＰ転送網内の通信回線で接続され、複数の端末が通信回線により前記網ノード装置のいずれかに接続され、端末１及び２はそれぞれ通信回線１及び２を経て前記網ノード装置１及び２と接続され、
前記端末１は電話番号を用いて前記端末２に接続を要求するため、接続要求及び前記端末２の電話番号ＴＮ２を含むＩＰパケットを接続サーバＳ１へ送信し、前記接続サーバＳ１は前記接続要求を含むＩＰパケットを受信して、前記接続要求を前記接続サーバＳ２に送り、前記接続サーバＳ２は、前記接続要求に基づく接続要求通知を含むＩＰパケットを前記端末２に送出し、前記端末２が応答を知らせる応答通知を含むＩＰパケットを送出し、前記接続サーバＳ２は前記ＩＰパケットを受信し、前記接続サーバＳ１及びＳ２は前記網ノード装置１及び２の間に前記端末1及び２が送受するＩＰパケットを転送するための通信経路１２を定めており、前記通信経路１２は前記電話番号ＴＮ１及び前記電話番号ＴＮ２の組により識別され、
前記端末１がＩＰパケットを、前記通信回線１を経て前記網ノード装置１に送信すると、前記ＩＰパケットは前記通信経路１２を転送されて、前記網ノード装置２、前記通信回線２を経由して前記端末２に到達し、前記送信元電話番号及び前記宛先電話番号の組により識別される前記通信経路１２が定まることを特徴とする端末間の通信接続制御方法。
【請求項５５】ＩＰ転送網は、複数の終端ゲートウェイＧＷを含み、前記終端ゲートウェイＧＷは前記ＩＰ転送網内の通信回線で接続され、複数の端末が通信回線により前記終端ゲートウェイＧＷのいずれかに接続され、端末１及び２はそれぞれ通信回線１及び２を経て前記終端ゲートウェイＧＷ１及びＧＷ２と接続され、
前記端末１は電話番号を用いて前記端末２に接続を要求するため、接続要求及び前記端末２の電話番号ＴＮ２を含むＩＰパケットを前記終端ゲートウェイＧＷ１へ送信し、前記終端ゲートウェイＧＷ１は前記接続要求を含むＩＰパケットを受信して、前記接続要求を前記終端ゲートウェイＧＷ２に送り、前記終端ゲートウェイＧＷ２は、前記接続要求に基づく接続要求通知を含むＩＰパケットを前記端末２に送出し、前記端末２が応答を知らせる応答通知を含むＩＰパケットを送出し、前記終端ゲートウェイＧＷ２は前記ＩＰパケットを受信し、前記終端ゲートウェイＧＷ１及びＧＷ２は前記終端ゲートウェイＧＷ１及びＧＷ２の間に前記端末1及び２が送受するＩＰパケットを転送するための通信経路１２を定めており、前記通信経路１２は前記電話番号ＴＮ１及び前記電話番号ＴＮ２の組により識別され、
前記端末１がＩＰパケットを、前記通信回線１を経て前記終端ゲートウェイＧＷ１に送信すると、前記ＩＰパケットは前記通信経路１２を転送されて、前記終端ゲートウェイＧＷ２、前記通信回線２を経由して前記端末２に到達し、
送信元電話番号及び宛先電話番号の組により識別される前記通信経路１２が定まることを特徴とする端末間の通信接続制御方法。
【請求項５６】ＩＰ転送網は網ノード装置１及び２、接続サーバＳ１、ドメイン名サーバ１及び中継ゲートウェイＧＷを含み、前記中継ゲートウェイＧＷは中継制御部を含み、公衆電話交換網は中継交換機及び終端交換機を含み、前記中継ゲートウェイＧＷはＮＮＩ通信回線経由で前記中継交換機と接続され、通信回線２を経て前記網ノード装置２と接続され、前記中継制御部は前記ＩＰ転送網内の通信回線を経て前記接続サーバＳ１に接続され、前記端末１は通信回線１を経て前記網ノード装置１に接続され、電話番号がＴＮ２である電話機２は前記終端交換機に接続され、
前記端末１は、前記電話機２への接続要求及び前記電話機２の電話番号ＴＮ２を含むＩＰパケット前記接続サーバＳ１へ送り、前記ＩＰパケットは前記網ノード装置１で内部パケットとなって前記接続サーバＳ１に到達し、前記接続サーバＳ１は、前記端末１と前記電話機２との間の前記ＩＰ転送網内の通信を識別する回線識別番号ＣＩＣＸを定めると共に、前記電話番号ＴＮ２を前記ドメイン名サーバ１に提示して、前記電話機２の接続制御を担う前記中継制御部のアドレス２を取得し、前記アドレス２を用いて前記接続要求及び前記回線識別番号ＣＩＣＸを含む初期アドレスメッセージＸを前記中継制御部に送り、
前記中継制御部は、前記端末１と前記電話機２との間の前記公衆電話交換網内の通信を識別する回線識別番号ＣＩＣＹを定め、前記回線識別番号ＣＩＣＸ及び前記回線識別番号ＣＩＣＹとの組を含むアドレス接続表のレコードＸＹを形成して保持し、前記回線識別番号ＣＩＣＹを含む初期アドレスメッセージＹを形成し、前記ＮＮＩ通信回線経由で前記公衆電話交換網に送出すると、前記終端交換機から前記初期アドレスメッセージＹの受信を確認して前記回線識別番号ＣＩＣＹを含むアドレス完了メッセージＹが返信され、前記中継制御部は前記アドレス完了メッセージＹを基に前記アドレス接続表のレコードＸＹを参照して、前記回線識別番号ＣＩＣＹ及び前記回線識別番号ＣＩＣＸとの関係を用いて前記回線識別番号ＣＩＣＸを含むアドレス完了メッセージＸを形成して前記接続サーバＳ１に送信し、前記終端交換機は、前記電話機２からの応答準備開始を知らせる呼出中通知を基に前記回線識別番号ＣＩＣＹを含む呼経過メッセージＹを送信し、前記中継制御部は前記呼経過メッセージＹを基に前記回線識別番号ＣＩＣＸを含む呼経過メッセージＸを形成して前記接続サーバＳ１に送信し、前記接続サーバＳ１は呼出中通知を含む内部パケットを前記端末１に送出し、前記終端交換機は、前記電話機２からの応答を知らせる応答通知を基に前記回線識別番号ＣＩＣＹを含む応答メッセージＹを形成して送信し、前記中継制御部は前記応答メッセージＹを基に前記回線識別番号ＣＩＣＸ及び前記電話機２との音声通信に用いるＩＰアドレスＥＡ２を含む応答メッセージＸを形成して前記接続サーバＳ１に送信し、前記接続サーバＳ１は前記応答通知及び前記ＩＰアドレスＥＡ２を含む内部パケットを前記端末１へ向けて送信するとＩＰパケットとなって前記端末１に到達し、前記接続サーバＳ１及び前記中継制御部は前記網ノード装置１及び２それぞれにＩＰ通信レコード１及び２を設定し、前記ＩＰ通信レコード１及び２は前記網ノード装置１及び２の間に通信経路１２を定め、前記通信経路１２は前記端末１の電話番号及び前記電話機２の電話番号の組により識別され、
前記端末１は前記通信回線１、前記網ノード装置１、前記通信経路１２、前記網ノード装置２、前記通信回線２、前記中継ゲートウェイＧＷ、前記ＮＮＩ通信回線、前記公衆電話交換網を経由して前記電話機２と通信を行い、中継ゲートウェイＧＷ内の前記中継制御部が前記アドレス接続表を用いて、前記ＩＰ転送網を転送される前記接続制御メッセージと前記公衆電話交換網を転送される前記接続制御メッセージとを中継して前記ＩＰ転送網及び前記公衆電話交換網が連携した接続制御を行い、前記通信経路１２は前記端末１の電話番号及び前記電話機２の電話番号の組により識別されることを特徴とする端末間の通信接続制御方法。
【請求項５７】接続制御を担う前記中継制御部を中継接続サーバとして実施する請求項５６に記載の端末間の通信接続制御方法。
【請求項５８】ＩＰ転送網は網ノード装置１及び２、接続サーバＳ１、ドメイン名サーバ１及び中継ゲートウェイＧＷを含み、前記中継ゲートウェイＧＷは中継接続サーバＳ２を含み、公衆電話交換網は中継交換機及び終端交換機を含み、前記中継ゲートウェイＧＷはＮＮＩ通信回線経由で前記中継交換機と接続され、通信回線２を経て前記網ノード装置２と接続され、更に前記ＩＰ転送網の内部通信回線経由で前記接続サーバＳ１に接続され、前記端末１は通信回線１を経て前記網ノード装置１に接続され、電話番号がＴＮ２である電話機２は前記終端交換機に接続され、
前記端末１は前記電話機２への接続要求及び前記電話機２の電話番号ＴＮ２を前記接続サーバＳ１へ送り、前記接続サーバＳ１は前記端末１と前記電話機２との間の前記ＩＰ転送網内の通信を識別する回線識別番号ＣＩＣＸを定めると共に、前記接続サーバＳ１は前記電話番号ＴＮ２を前記ドメイン名サーバ１に提示して、前記電話機２の接続制御を担う前記中継接続サーバＳ２のアドレス２を取得し、前記アドレス２を用いて前記接続要求及び前記回線識別番号ＣＩＣＸを含む初期アドレスメッセージＸを前記中継接続サーバＳ２に送り、
前記中継接続サーバＳ２は、前記端末１と前記電話機２との間の前記公衆電話交換網内の通信を識別する回線識別番号ＣＩＣＹを定め、前記回線識別番号ＣＩＣＸ及び前記回線識別番号ＣＩＣＹとの組を含むアドレス接続表のレコードＸＹを形成して保持し、更に前記回線識別番号ＣＩＣＹを含む初期アドレスメッセージＹを形成し、前記ＮＮＩ通信回線経由で前記公衆電話交換網に送出すると、前記終端交換機から前記ＣＩＣＹを含むアドレス完了メッセージＹが返信され、前記中継接続サーバＳ２は前記アドレス完了メッセージＹを基に前記アドレス接続表のレコードＸＹを参照して、前記回線識別番号ＣＩＣＹ及び前記回線識別番号ＣＩＣＸとの関係を用いて前記回線識別番号ＣＩＣＸを含むアドレス完了メッセージＸを形成して前記接続サーバＳ１に送信し、前記終端交換機は前記電話機２からの呼出中通知を基に前記ＣＩＣＹを含む呼経過メッセージＹを送信し、前記中継接続サーバＳ２は前記呼経過メッセージＹを基に前記回線識別番号ＣＩＣＸを含む呼経過メッセージＸを形成して前記接続サーバＳ１に送信し、前記接続サーバＳ１は呼出中通知を前記端末１に送付し、前記終端交換機は前記電話機２からの応答通知を基に前記回線識別番号ＣＩＣＹを含む応答メッセージＹを形成して送信し、前記中継接続サーバＳ２は前記応答メッセージＹを基に前記回線識別番号ＣＩＣＸ及び前記電話機２との音声通信に用いるＩＰアドレスＥＡ２を含む応答メッセージＸを形成して前記接続サーバＳ１に送信し、前記接続サーバＳ１は前記応答通知及び前記ＩＰアドレスＥＡ２を前記端末１へ向けて送信し、前記接続サーバＳ１及びＳ２は前記網ノード装置１及び２それぞれにＩＰ通信レコード１及び２を設定し、前記ＩＰ通信レコード１及び２は前記網ノード装置１及び２の間に通信経路１２を定め、前記通信経路１２は送信元電話番号及び前記宛先電話番号の組により定める前記回線識別番号ＣＩＣＸにより識別され、
前記端末１は前記通信回線１、前記網ノード装置１、前記通信経路１２、前記網ノード装置２、前記通信回線２、前記中継ゲートウェイＧＷ、前記ＮＮＩ通信回線、前記公衆電話交換網を経由して前記電話機２と通信を行い、前記通信は接続制御メッセージを回線識別番号とアドレス接続表により管理することにより達成され、前記通信経路１２は前記端末１の電話番号及び前記電話機２の電話番号の組により識別されることを特徴とする端末間の通信接続制御方法。
【請求項５９】ＩＰ転送網は網ノード装置１及び２、接続サーバＳ１、ドメイン名サーバ１及び中継ゲートウェイＧＷを含み、前記中継ゲートウェイＧＷは中継接続サーバＳ２を含み、公衆電話交換網は中継交換機及び終端交換機を含み、前記中継ゲートウェイＧＷはＮＮＩ通信回線経由で前記中継交換機と接続され、通信回線２を経て前記網ノード装置２と接続され、更に前記ＩＰ転送網の内部通信回線経由で前記接続サーバＳ１に接続され、前記端末１は通信回線１を経て前記網ノード装置１に接続され、電話番号がＴＮ２である電話機２は前記終端交換機に接続され、
前記端末１は前記電話機２への接続要求及び前記電話機２の電話番号ＴＮ２を前記接続サーバＳ１へ送り、前記接続サーバＳ１は前記電話番号ＴＮ２を前記ドメイン名サーバ１に提示して、前記電話機２の接続制御を担う前記中継接続サーバＳ２のアドレス２を取得し、前記アドレス２を用いて前記接続要求を含む初期アドレスメッセージＸを前記中継接続サーバＳ２に送り、
前記中継接続サーバＳ２は初期アドレスメッセージＹを前記公衆電話交換網に送り、前記接続サーバＳ１、中継接続サーバＳ２及び公衆電話交換網内の前記終端交換機は、接続要求受信を確認するアドレス完了メッセージ、応答準備開始を知らせる呼経過メッセージ及び応答を知らせる応答メッセージの送受から成る接続制御を前記ＩＰ転送網及び前記公衆電話交換網を通して行い、前記端末１は前記応答を受信し、以上により前記網ノード装置１及び２の間に通信経路１２が定まり、前記通信経路１２は前記端末１の電話番号及び前記電話機２の電話番号の組により識別され、
前記端末１は前記通信回線１、前記網ノード装置１、前記通信経路１２、前記網ノード装置２、前記通信回線２、前記中継ゲートウェイＧＷ、前記ＮＮＩ通信回線、前記公衆電話交換網を経由して前記電話機２と通信を行い、
前記ＩＰ転送網を転送される前記接続制御メッセージと前記公衆電話交換網を転送される接続制御メッセージとを中継して、前記ＩＰ転送網及び前記公衆電話交換網が連携した接続制御を行い、前記通信経路１２は前記端末１の電話番号及び前記電話機２の電話番号の組により識別されることを特徴とする端末間の通信接続制御方法。
【請求項６０】前記網ノード装置１、前記接続サーバＳ１、前記ドメイン名サーバ１を一体化して終端ゲートウェイＧＷ１として実施し、前記網ノード装置２及び及び前記中継ゲートウェイＧＷを一体化して中継ゲートウェイＧＷ２とし、前記終端ゲートウェイＧＷ１及び前記中継ゲートウェイＧＷ２は前記ＩＰ転送網内の回線で接続され、前記中継ゲートウェイＧＷ２はＮＮＩ通信回線経由で前記中継交換機と接続され、前記端末１は通信回線１を経て前記網ノード装置１に接続され、
前記端末１は前記電話機２への接続要求及び前記電話機２の電話番号ＴＮ２を前記終端ゲートウェイＧＷ１へ送り、前記終端ゲートウェイＧＷ１は前記電話機２の接続制御を担う前記中継ゲートウェイＧＷ２のアドレス２を取得し、前記アドレス２を用いて前記接続要求を含む初期アドレスメッセージＸを前記中継ゲートウェイＧＷ２に送り、
前記中継中継ゲートウェイＧＷ２は初期アドレスメッセージＹを前記公衆電話交換網に送り、前記終端ゲートウェイＧＷ１、前記中継ゲートウェイＧＷ２及び前記公衆電話交換網内の前記終端交換機は、接続要求受信を確認するアドレス完了メッセージ、応答準備開始を知らせる呼経過メッセージ及び応答を知らせる応答メッセージの送受から成る接続制御を前記ＩＰ転送網及び前記公衆電話交換網を通して行い、前記端末１は前記応答を受信し、以上により前記網ノード装置１及び２の間に通信経路１２が定まり、前記通信経路１２は前記端末１の電話番号及び前記電話機２の電話番号の組により識別され、
前記端末１は前記通信回線１、終端ゲートウェイＧＷ１、前記通信経路１２、前記中継ゲートウェイＧＷ、前記ＮＮＩ通信回線、前記公衆電話交換網を経由して前記電話機２と通信を行い、前記ＩＰ転送網を転送される接続制御メッセージと前記公衆電話交換網を転送される接続制御メッセージとを中継して、前記ＩＰ転送網及び前記公衆電話交換網が連携した接続制御を行う請求項５６に記載の端末間の通信接続制御方法。
【請求項６１】ＩＰ転送網は複数の終端ゲートウェイＧＷ１及び中継ゲートウェイＧＷ２を含み、
前記終端ゲートウェイＧＷ１及び前記中継ゲートウェイＧＷ２は前記ＩＰ転送網内の回線を経て接続され、公衆電話交換網は中継交換機及び終端交換機を含み、前記中継ゲートウェイＧＷ２はＮＮＩ通信回線経由で前記中継交換機と接続され、端末１は通信回線１を経て前記終端ゲートウェイＧＷ１に接続され、電話番号がＴＮ２である電話機２は前記終端交換機に接続され、
前記端末１は前記電話機２への接続要求及び前記電話機２の電話番号ＴＮ２を含むＩＰパケットを前記終端ゲートウェイＧＷ１へ送り、前記終端ゲートウェイＧＷ１は前記端末１と前記電話機２との間の前記ＩＰ転送網内の通信を識別する回線識別番号ＣＩＣＸを定めると共に、前記電話機２の接続制御を担う前記中継ゲートウェイＧＷ２のアドレス２を取得し、前記アドレス２を用いて、前記接続要求及び前記回線識別番号ＣＩＣＸを含む初期アドレスメッセージＸを前記中継ゲートウェイＧＷ２に送り、
前記中継ゲートウェイＧＷ２は、前記端末１と前記電話機２との間の前記公衆電話交換網内の通信を識別する回線識別番号ＣＩＣＹを定め、前記回線識別番号ＣＩＣＸ及び前記回線識別番号ＣＩＣＹとの組を含むアドレス接続表のレコードＸＹを形成して保持し、更に前記回線識別番号ＣＩＣＹを含む初期アドレスメッセージＹを形成し、前記ＮＮＩ通信回線経由で前記公衆電話交換網に送出すると、前記終端交換機から前記初期アドレスメッセージＹの受信を確認し、前記回線識別番号ＣＩＣＹを含むアドレス完了メッセージＹが返信され、前記中継ゲートウェイＧＷ２は前記アドレス完了メッセージＹを基に前記アドレス接続表のレコードＸＹを参照して、前記回線識別番号ＣＩＣＹ及び前記回線識別番号ＣＩＣＸとの関係を用いて前記回線識別番号ＣＩＣＸを含むアドレス完了メッセージＸを形成して前記終端ゲートウェイＧＷ１に送信し、前記終端交換機は、前記電話機２からの応答準備開始を知らせる呼出中通知を基に前記回線識別番号ＣＩＣＹを含む呼経過メッセージＹを送信し、前記中継ゲートウェイＧＷ２は前記呼経過メッセージＹを基に前記回線識別番号ＣＩＣＸを含む呼経過メッセージＸを形成して前記終端ゲートウェイＧＷ１に送信し、前記終端ゲートウェイＧＷ１は呼出中通知を含むＩＰパケットを前記端末１に送出し、前記終端交換機は、前記電話機２からの応答を知らせる応答通知を基に前記回線識別番号ＣＩＣＹを含む応答メッセージＹを形成して送信し、前記中継ゲートウェイＧＷ２は前記応答メッセージＹを基に前記回線識別番号ＣＩＣＸ及び前記電話機２との音声通信に用いるＩＰアドレスＥＡ２を含む応答メッセージＸを形成して前記終端ゲートウェイＧＷ１に送信し、前記終端ゲートウェイＧＷ１は前記応答通知及び前記ＩＰアドレスＥＡ２を含むＩＰパケット前記端末１へ送り、
前記終端ゲートウェイＧＷ１及び前記中継ゲートウェイＧＷ２はそれぞれの内部に前記ＩＰアドレスＥＡ１及びＥＡ２を含むＩＰ通信レコード１及び２を設定し、前記ＩＰ通信レコード１及び２は前記終端ゲートウェイＧＷ１及び前記中継ゲートウェイＧＷ２の間に通信経路１２を定め、前記通信経路１２は前記端末１の電話番号及び前記電話機２の電話番号の組により識別され、
前記端末１は前記通信回線１、前記終端ゲートウェイＧＷ１、前記通信経路１２、前記中継ゲートウェイＧＷ２、前記ＮＮＩ通信回線、前記公衆電話交換網を経由して前記電話機２と通信を行うことが可能であり、前記中継ゲートウェイＧＷ２がその内部の前記アドレス接続表を用いて、ＩＰ転送網を転送される接続制御メッセージと前記公衆電話交換網を転送される接続制御メッセージとを中継して、前記ＩＰ転送網及び前記公衆電話交換網が連携した接続制御を行い、前記通信経路１２は前記端末１の電話番号及び前記電話機２の電話番号の組により識別されることを特徴とする端末間の通信接続制御方法。
【請求項６２】ＩＰ転送網は複数の終端ゲートウェイＧＷ１及び中継ゲートウェイＧＷ２を含み、
前記終端ゲートウェイＧＷ１及び前記中継ゲートウェイＧＷ２は前記ＩＰ転送網内の回線を経て接続され、公衆電話交換網は中継交換機及び終端交換機を含み、前記中継ゲートウェイＧＷ２はＮＮＩ通信回線経由で前記中継交換機と接続され、端末１は通信回線１を経て前記終端ゲートウェイＧＷ１に接続され、電話番号がＴＮ２である電話機２は前記終端交換機に接続され、
前記端末１は、前記電話機２への接続要求及び前記電話機２の電話番号ＴＮ２を含むＩＰパケットを前記終端ゲートウェイＧＷ１へ送り、前記終端ゲートウェイＧＷ１は前記電話機２の接続制御を担う前記中継ゲートウェイＧＷ２のアドレス２を特定し、前記アドレス２を用いて前記接続要求を含む初期アドレスメッセージＸを前記中継ゲートウェイＧＷ２に送り、
前記中継ゲートウェイＧＷ２は初期アドレスメッセージＹを形成し、前記ＮＮＩ通信回線経由で前記公衆電話交換網に送出すると、前記終端交換機から前記初期アドレスメッセージＹの受信を確認するアドレス完了メッセージＹが返信され、前記中継ゲートウェイＧＷ２は前記アドレス完了メッセージＹを基にアドレス完了メッセージＸを形成して前記終端ゲートウェイＧＷ１に送信し、前記終端交換機は前記電話機２からの応答準備開始を知らせる呼出中通知を基に呼経過メッセージＹを送信し、前記中継ゲートウェイＧＷ２は前記呼経過メッセージＹを基に呼経過メッセージＸを形成して前記終端ゲートウェイＧＷ１に送信し、前記終端ゲートウェイＧＷ１は呼出中通知を含むＩＰパケットを前記端末１に送出し、前記終端交換機は前記電話機２からの応答を知らせる応答通知を基に応答メッセージＹを形成して送信し、前記中継ゲートウェイＧＷ２は前記応答メッセージＹに基に応答メッセージＸを形成して前記終端ゲートウェイＧＷ１に送信し、前記終端ゲートウェイＧＷ１は前記応答通知を含むＩＰパケット前記端末１へ送り、以上により前記終端ゲートウェイＧＷ１及び前記中継ゲートウェイＧＷ２は、前記終端ゲートウェイＧＷ１及び中継ゲートウェイＧＷ２の間に、前記端末1及び前記電話機２の通信のために前記ＩＰ転送網内部で送受されるＩＰパケットを転送するための通信経路１２を定めており、前記通信経路１２は、前記端末１及び前記電話機２の電話番号の組により識別され、
前記端末１は前記通信回線１、前記終端ゲートウェイＧＷ１、前記通信経路１２、前記中継ゲートウェイＧＷ２、前記ＮＮＩ通信回線、前記公衆電話交換網を経由して前記電話機２と通信を行い、前記中継ゲートウェイＧＷ２がその内部の前記アドレス接続表を用いて、前記ＩＰ転送網を転送される接続制御メッセージと前記公衆電話交換網を転送される接続制御メッセージとを中継して前記ＩＰ転送網及び前記公衆電話交換網が連携した接続制御を行い、前記通信経路１２は前記端末１の電話番号及び前記電話機２の電話番号ＴＮ２の組により識別されることを特徴とする端末間の通信接続制御方法。
【請求項６３】ＩＰ転送網は内部の通信回線で接続された終端ゲートウェイＧＷ1及び中継ゲートウェイＧＷ２を含み、端末１は前記ＩＰ転送網の外部に設置され、通信回線１を経て終端ゲートウェイＧＷ１と接続され、中継ゲートウェイＧＷ２はＮＮＩ通信回線経由で公衆電話交換網に含まれる中継交換機と接続され、電話番号がＴＮ２である電話機２は前記公衆電話交換網に含まれる終端交換機に接続され、
前記端末１は前記電話機２への接続要求及び前記電話機２の電話番号ＴＮ２を前記終端ゲートウェイＧＷ１へ送り、前記終端ゲートウェイＧＷ１は前記電話機２の接続制御を担う前記中継ゲートウェイＧＷ２のアドレス２を特定し、前記アドレス２を用いて前記接続要求を含む初期アドレスメッセージＸを前記中継ゲートウェイＧＷ２に送り、前記中継ゲートウェイＧＷ２は前記受信した初期アドレスメッセージＸを基に初期アドレスメッセージＹを前記中継交換機に送り、前記終端ゲートウェイＧＷ１，前記中継ゲートウェイＧＷ２、前記中継交換機及び前記終端交換機は、接続要求の受信を確認するアドレス完了メッセージ、応答準備開始を知らせる呼経過メッセージ及び応答を知らせる応答メッセージの送受を含む接続制御を前記ＩＰ転送網及び前記公衆電話交換網を経由して行い、以上により前記終端ゲートウェイＧＷ１及び前記中継ゲートウェイＧＷ２の間に、前記端末１及び前記電話機２の通信のために前記ＩＰ転送網内部で送受されるＩＰパケットを転送するための通信経路１２を定めており、前記通信経路１２は前記端末１及び前記電話機２の電話番号の組により識別され、
前記端末１は前記通信回線１、前記終端ゲートウェイＧＷ１、前記ＩＰ転送網、前記中継ゲートウェイＧＷ２、前記ＮＮＩ通信回線、前記中継交換機、前記公衆電話交換網、前記終端交換機を経由して前記電話機２と通信を行い、前記ＩＰ転送網を転送される接続制御メッセージと前記公衆電話交換網を転送される接続制御メッセージとを中継して、前記ＩＰ転送網及び前記公衆電話交換網が連携した接続制御を行い、前記通信経路１２は前記端末１の電話番号及び前記電話機２の電話番号ＴＮ２の組により識別されることを特徴とする端末間の通信接続制御方法。
【請求項６４】前記電話番号がホスト名である請求項１９乃至５５のいずれかに記載の端末間の通信接続制御方法。
【請求項６５】前記端末がＩＰアドレスを有する電話機である請求項１９乃至５５のいずれかに記載の端末間の通信接続制御方法。
【請求項６６】接続を要求する側の前記接続サーバＳ１及び宛先側接続サーバＳ２とを接続サーバＸとして一体化し、前記端末１が電話番号を用いて前記端末２に接続要求する接続制御手順において、前記接続サーバＸが初期アドレスメッセージ、アドレス完了メッセージ、呼経過メッセージ、応答メッセージ、解放メッセージ、解放完了メッセージそれぞれを生成して送信し、受信する手順を省いて接続制御を実施するようになっている請求項１９乃至３０のいずれかに記載の端末間の通信接続制御方法。
【請求項６７】前記電話番号の代わりにホスト名を用い、接続を要求する側の前記接続サーバＳ１及び宛先側接続サーバＳ２とを接続サーバＸとして一体化し、前記端末１がホスト名を用いて前記端末２に接続要求する接続制御手順において、前記接続サーバＸが初期アドレスメッセージ、アドレス完了メッセージ、呼経過メッセージ、応答メッセージ、解放メッセージ、解放完了メッセージそれぞれを生成して送信し、受信する手順を省いて接続制御を実施するようになっている請求項１９乃至３０のいずれかに記載の端末間の通信接続制御方法。
【請求項６８】前記接続サーバＳ１は前記端末２の電話番号ＴＮ２を前記ドメイン名サーバ１に提示せず、前記接続サーバＳ１自身の内部情報を用いて前記接続サーバＳ２のアドレス２を取得するようになっている請求項１９乃至３０のいずれかに記載の端末間の通信接続制御方法。
【請求項６９】前記電話番号の代わりにホスト名を用い、前記接続サーバＳ１は前記端末２のホスト名ＴＮ２を前記ドメイン名サーバ１に提示せず、前記接続サーバＳ１自身の内部情報を用いて前記接続サーバＳ２のアドレス２を取得するようになっている請求項１９乃至３０のいずれかに記載の端末間の通信接続制御方法。
【請求項７０】ドメイン名サーバ２が前記ＩＰ転送網内に更に設置されており、前記接続サーバＳ１は前記電話番号ＴＮ２を前記ドメイン名サーバ１に提示して前記端末２のＩＰアドレスＥＡ２を取得せず、代わりに前記接続サーバＳ２が前記電話番号ＴＮ２を前記ドメイン名サーバ２に提示して前記ＩＰアドレスＥＡ２を取得し、前記アドレス完了メッセージ、呼経過メッセージ又は応答メッセージのいずれかに前記ＩＰアドレスＥＡ２を格納して前記接続サーバＳ１に送信し、前記接続サーバＳ１が受信した前記ＩＰアドレスＥＡ２を保持して用いるようになっている請求項１９乃至３０のいずれかに記載の端末間の通信接続制御方法。
【請求項７１】前記電話番号の代わりにホスト名を用い、ドメイン名サーバ２が前記ＩＰ転送網内に更に設置されており、前記接続サーバＳ１は前記ホスト名ＴＮ２を前記ドメイン名サーバ１に提示して前記端末２のＩＰアドレスＥＡ２を取得せず、代わりに前記接続サーバＳ２が前記ホスト名ＴＮ２を前記ドメイン名サーバ２に提示して前記ＩＰアドレスＥＡ２を取得し、前記アドレス完了メッセージ、呼経過メッセージ又は応答メッセージのいずれかに前記ＩＰアドレスＥＡ２を格納して前記接続サーバＳ１に送信し、前記接続サーバＳ１が受信した前記ＩＰアドレスＥＡ２を保持して用いるようになっている請求項１９乃至３０のいずれかに記載の端末間の通信接続制御方法。
【請求項７２】前記接続サーバＳ１が前記宛先端末４の電話番号ＴＮ４をドメイン名サーバ１に提示して前記端末４のＩＰアドレスＥＡ４を取得せず、前記接続サーバＳ４が前記宛先端末４の電話番号ＴＮ４をドメイン名サーバ４に提示して前記端末４のＩＰアドレスＥＡ４を取得し、前記アドレス完了メッセージ、前記呼経過メッセージ又は前記応答メッセージのいずれかに前記ＩＰアドレスＥＡ４を格納して前記接続サーバＳ１に転送する請求項４３に記載の端末間の通信接続制御方法。
【請求項７３】前記電話番号の代わりにホスト名を用い、前記接続サーバＳ１が前記宛先端末４のホスト名ＴＮ４をドメイン名サーバ１に提示して前記端末４のＩＰアドレスＥＡ４を取得せず、前記接続サーバＳ４が前記宛先端末４のホスト名ＴＮ４をドメイン名サーバ４に提示して前記端末４のＩＰアドレスＥＡ４を取得し、前記アドレス完了メッセージ、前記呼経過メッセージ又は前記応答メッセージのいずれかに前記ＩＰアドレスＥＡ４を格納して前記接続サーバＳ１に転送する請求項４３に記載の端末間の通信接続制御方法。
【請求項７４】前記端末１を、端末収容無線装置１、無線通信路１、無線基地局Ｖ１、前記通信回線１を経て前記ＩＰ通信網に接続し、前記端末２を、端末収容無線装置２、無線通信路２、無線基地局Ｖ２、前記通信回線２を経て前記ＩＰ通信網に接続し、前記端末１は電話番号を用いて前記端末２に接続を要求するため、接続要求及び前記端末２の電話番号ＴＮ２を含むＩＰパケットを前記ＩＰ通信網に送信して、前記ＩＰ転送網内に、前記端末1及び２が送受するＩＰパケットを転送するための通信経路１２を定める請求項４６乃至５１のいずれかに記載の端末間の通信接続制御方法。
【請求項７５】前記電話番号の代わりにホスト名を用い、前記端末１を、端末収容無線装置１、無線通信路１、無線基地局Ｖ１、前記通信回線１を経て前記ＩＰ通信網に接続し、前記端末２を、端末収容無線装置２、無線通信路２、無線基地局Ｖ２、前記通信回線２を経て前記ＩＰ通信網に接続し、前記端末１はホスト名を用いて前記端末２に接続を要求するため、接続要求及び前記端末２のホスト名ＴＮ２を含むＩＰパケットを前記ＩＰ通信網に送信して、前記ＩＰ転送網内に、前記端末1及び２が送受するＩＰパケットを転送するための通信経路１２を定める請求項４６乃至５１のいずれかに記載の端末間の通信接続制御方法。
【請求項７６】前記端末１を、端末収容無線装置１、無線通信路１、無線基地局Ｖ１、前記通信回線１を経て前記網ノード装置１に接続し、前記端末２を、端末収容無線装置２、無線通信路２、無線基地局Ｖ２、前記通信回線２を経て前記網ノード装置２に接続し、前記端末１は電話番号を用いて前記端末２に接続を要求するため、接続要求及び前記端末２の電話番号ＴＮ２を含むＩＰパケットを前記ＩＰ通信網に送信して、前記網ノード装置１及び２の間に、前記端末1及び２が送受するＩＰパケットを転送するための通信経路１２を定める請求項５２乃至５４のいずれかに記載の端末間の通信接続制御方法。
【請求項７７】前記電話番号の代わりにホスト名を用い、前記端末１を、端末収容無線装置１、無線通信路１、無線基地局Ｖ１、前記通信回線１を経て前記網ノード装置１に接続し、前記端末２を、端末収容無線装置２、無線通信路２、無線基地局Ｖ２、前記通信回線２を経て前記網ノード装置２に接続し、前記端末１はホスト名を用いて前記端末２に接続を要求するため、接続要求及び前記端末２のホスト名ＴＮ２を含むＩＰパケットを前記ＩＰ通信網に送信して、前記網ノード装置１及び２の間に、前記端末1及び２が送受するＩＰパケットを転送するための通信経路１２を定める請求項５２乃至５４のいずれかに記載の端末間の通信接続制御方法。
【請求項７８】前記端末１を、端末収容無線装置１、無線通信路１、無線基地局Ｖ１、前記通信回線１を経て前記終端ゲートウェイＧＷ１に接続し、前記端末２を、端末収容無線装置２、無線通信路２、無線基地局Ｖ２、前記通信回線２を経て前記終端ゲートウェイＧＷ２に接続し、前記端末１は電話番号を用いて前記端末２に接続を要求するため、接続要求及び前記端末２の電話番号ＴＮ２を含むＩＰパケットを前記ＩＰ通信網に送信して、前記終端ゲートウェイＧＷ１及びＧＷ２の間に、前記端末1及び２が送受するＩＰパケットを転送するための通信経路１２を定める請求項５５に記載の端末間の通信接続制御方法。
【請求項７９】前記電話番号の代わりにホスト名を用い、前記端末１を、端末収容無線装置１、無線通信路１、無線基地局Ｖ１、前記通信回線１を経て前記終端ゲートウェイＧＷ１に接続し、前記端末２を、端末収容無線装置２、無線通信路２、無線基地局Ｖ２、前記通信回線２を経て前記終端ゲートウェイＧＷ２に接続し、前記端末１はホスト名を用いて前記端末２に接続を要求するため、接続要求及び前記端末２のホスト名ＴＮ２を含むＩＰパケットを前記ＩＰ通信網に送信して、前記終端ゲートウェイＧＷ１及びＧＷ２の間に、前記端末1及び２が送受するＩＰパケットを転送するための通信経路１２を定める請求項５５に記載の端末間の通信接続制御方法。
【請求項８０】前記端末２は呼出中通知を送出せず、呼出中通知が前記接続サーバ２、前記接続サーバ１を経て前記端末１へ送られる一連の手順が行なわれない請求項２２，２４，２８又は３０のいずれかに記載の端末間の通信接続制御方法。
【請求項８１】前記端末２は呼出中通知を送出せず、呼出中通知が前記終端ゲートウェイＧＷ２、前記終端ゲートウェイＧＷ１を経て前記端末１へ送られる一連の手順が行われない請求項３４又は３６のいずれかに記載の端末間の通信接続制御方法。
【請求項８２】前記接続サーバＳ１が前記応答通知と共に前記端末２の仮のＩＰアドレスＥＡ２Ｘを前記端末１へ送り、前記端末１が宛先アドレスを前記ＥＡ２ＸとするＩＰパケットを前記網ノード装置１に送出すると、前記網ノード装置１は、前記ＩＰパケットの宛先アドレスを前記端末２のＩＰアドレスＥＡ２に変換したＩＰパケットを形成し、前記形成したＩＰパケットを前記通信経路１２を経て宛先端末２へ転送するようになっている請求項２２又は２４に記載の端末間の通信接続制御方法。
【請求項８３】前記ＩＰ転送網は、前記応答通知を前記端末１に送出するが、前記端末２のＩＰアドレスＥＡ２を前記端末１に送出しない請求項４７に記載の端末間の通信接続制御方法。
【請求項８４】ルータ１及び２はそれぞれ通信回線を経て前記網ノード装置１及び２に接続されており、前記ルータ１及び２はそれぞれ個別の電話番号及び個別のＩＰアドレスを有する複数の端末に接続されており、前記ルータ１に接続する端末１Ｘが電話番号を用いて前記ルータ２に接続する端末２Ｘに接続して通信が可能な請求項１９乃至２４，５２乃至５４のいずれかに記載の端末間の通信接続制御方法。
【請求項８５】前記電話番号の代わりにホスト名を用い、ルータ１及び２はそれぞれ通信回線を経て前記網ノード装置１及び２に接続されており、前記ルータ１及び２はそれぞれ個別のホスト名及び個別のＩＰアドレスを有する複数の端末に接続されており、前記ルータ１に接続する端末１Ｘがホスト名を用いて前記ルータ２に接続する端末２Ｘに接続して通信が可能な請求項１９乃至２４，５２乃至５４のいずれかに記載の端末間の通信接続制御方法。
【請求項８６】ルータ１及び２はそれぞれ通信回線を経て前記ゲートウェイＧＷ１及びＧＷ２に接続されており、前記ルータ１及び２はそれぞれ個別の電話番号及び個別のＩＰアドレスを有する複数の端末に接続されており、前記ルータ１に接続する端末１Ｘが電話番号を用いて前記ルータ２に接続する端末２Ｘに接続して通信が可能な請求項３１乃至３４，５５のいずれかに記載の端末間の通信接続制御方法。
【請求項８７】前記電話番号の代わりにホスト名を用い、ルータ１及び２はそれぞれ通信回線を経て前記ゲートウェイＧＷ１及びＧＷ２に接続されており、前記ルータ１及び２はそれぞれ個別のホスト名及び個別のＩＰアドレスを有する複数の端末に接続されており、前記ルータ１に接続する端末１Ｘがホスト名を用いて前記ルータ２に接続する端末２Ｘに接続して通信が可能な請求項３１乃至３４，５５のいずれかに記載の端末間の通信接続制御方法。
【請求項８８】前記中継接続サーバＳ２が前記ＩＰアドレスＥＡ２を定めて前記接続サーバＳ１に送信せず、前記接続サーバＳ１が前記電話番号ＴＮ２を前記ドメイン名サーバ１に提示するとき、前記電話機２の接続制御を担う中継接続サーバＳ２のアドレス２と共に前記電話機２の音声通信用のＩＰアドレスＥＡ２を取得して、前記初期アドレスメッセージＸにより前記ゲートウェイに送信するようになっている請求項５８に記載の端末間の通信接続制御方法。
【請求項８９】前記網ノード装置１及び２はＩＰパケットをＩＰカプセル化技法により前記内部パケットに変換し、前記内部パケットを逆ＩＰカプセル化技法により前記ＩＰパケットに変換する請求項２０に記載の端末間の通信接続制御方法。
【請求項９０】前記網ノード装置１及び２はＩＰパケットを簡易カプセル化技法により前記内部パケットに変換し、前記内部パケットを簡易逆カプセル化技法により前記ＩＰパケットに変換する請求項２０に記載の端末間の通信接続制御方法。
【請求項９１】前記接続要求を含むＩＰパケット及び前記接続要求通知を含むＩＰパケット内の宛先ポート番号の値が公開値である請求項２０に記載の端末間の通信接続制御方法。
【請求項９２】前記端末１は、前記端末２へ送信するＩＰパケットの送信元ポート番号として端末１のメディアポート番号ＰＮ１を設定し、宛先ポート番号は予め定めてあるメディアポート番号ＰＮ２を設定するようになっている請求項１９乃至４２、又は４６乃至５５のいずれかに記載の端末間の通信接続制御方法。
【請求項９３】前記端末間の通信において、前記端末１及び２がそれぞれメディアポート番号Ｍ１及びＭ２を設定したＩＰパケットを送受する第１の通信を継続しながら、更に前記端末１及び２は前記第１の通信と並行して、前記Ｍ１及びＭ２と異なる値であるメディアポート番号Ｎ１及びＮ２を設定したＩＰパケットを送受する第２の通信を実施する請求項１９乃至４２、又は４６乃至５５のいずれかに記載の端末間の通信接続制御方法。
【請求項９４】前記端末間の通信において、前記端末１及び２がそれぞれメディアポート番号Ｍ１及びＭ２を設定したＩＰパケットを送受する第１の通信を継続しながら、更に前記端末１及び２は前記第１の通信と並行して、前記Ｍ１及びＭ２と異なる値であるメディアポート番号Ｎ１及びＮ２を設定したＩＰパケットを送受し、
前記第１の通信はデータを送受する通信若しくは音声を送受する通信であり、前記第２の通信は静止画像、動画像、音声、動画像、電子文書を送受する通信である請求項１９乃至４２，４６乃至５５のいずれかに記載の端末間の通信接続制御方法。
【請求項９５】 前記端末１及び２と前記端末収容無線装置１及び２とをそれぞれ一体化して端末Ｍ１及びＭ２として実施し、前記端末Ｍ１及びＭ２は前記無線通信路１、前記無線送受信部１、前記ゲートウェイ１、前記通信回線１、前記網ノード装置１、前記通信経路１２、前記網ノード装置２、前記通信回線２、前記ゲートウェイ２、前記無線送受信部２、前記無線通信路２を経由する通信を行い得る請求項２３又は２４に記載の端末間の通信接続制御方法。
【請求項９６】前記端末１及び２と前記端末収容無線装置１及び２とをそれぞれ一体化して端末Ｍ１及びＭ２として実施し、更に前記無線送受信部１及び２と前記ゲートウェイ１及び２とをそれぞれ一体化して無線基地局Ｖ１及びＶ２として実施し、前記無線通信路１、前記無線基地局Ｖ１、前記通信回線１、前記網ノード装置１、前記通信経路１２、前記網ノード装置２、前記通信回線２、前記無線基地局Ｖ２、前記無線通信路２を経由する通信を行い得る請求項２３又は２４に記載の端末間の通信接続制御方法。
【請求項９７】前記端末１及び２と前記端末収容無線装置１及び２とをそれぞれ一体化して端末Ｍ１及びＭ２として実施し、前記無線通信路１、前記無線送受信部１、前記ゲートウェイ１、前記通信回線１、前記通信経路１２、前記通信回線２、前記ゲートウェイ２、前記無線送受信部２、前記無線通信路２を経由する通信を行い得る請求項２９又は３０に記載の端末間の通信接続制御方法。
【請求項９８】前記端末１及び２と前記端末収容無線装置１及び２とをそれぞれ一体化して端末Ｍ１及びＭ２として実施し、更に前記無線送受信部１及び２と前記ゲートウェイ１及び２とをそれぞれ一体化して無線基地局Ｖ１及びＶ２として実施し、前記無線通信路１、前記無線基地局Ｖ１、前記通信回線１、前記通信経路１２、前記通信回線２、前記無線基地局Ｖ２、前記無線通信路２を経由する通信を行い得る請求項２９又は３０に記載の端末間の通信接続制御方法。
【請求項９９】前記端末２に代えてＩＰアドレスＥＡ２を有するメディアルータ２が前記網ノード装置２に接続され、前記メディアルータ２は電話番号Ｔｊ（ｊ＝１，２、・、ｎ）が付与された複数の電話機を接続しており、前記電話番号Ｔｊとポート番号Ｐｊとの１：１対応を示す電話番号ポート番号対応表を含み、前記メディアルータ２は前記端末１から送信されたＩＰパケット内の宛先ポート番号Ｐｊを基に、前記複数の電話機から前記電話番号Ｔｊが付与された電話機を識別し、前記端末１が前記メディアルータ２を経由して前記電話番号Ｔｊが付与された電話機と通信を実施し得る請求項１９乃至２４、３８又は３９のいずれかに記載の端末間の通信接続制御方法。
【請求項１００】前記ＩＰ転送網は網ノード装置３を含み、ＩＰアドレスＡ１及びＡ３である端末Ｔ１及びＴ３を通信回線を経て前記網ノード装置１及び３に接続し、前記網ノード装置１及び３にＩＰ通信レコード１３及びＩＰ通信レコード３１を設定しておき、
前記端末Ｔ１が送信元アドレスＡ１、宛先アドレスＡ３であるＩＰパケットを送出すると、前記ＩＰパケットは前記網ノード装置１の前記ＩＰ通信レコード１３の管理の基に内部パケットとなって前記ＩＰ転送網を転送され、前記網ノード装置３において前記ＩＰ通信レコード３１の管理の基に前記ＩＰパケットが復元されて前記端末Ｔ３に到達するようになっており、前記端末Ｔ１及び前記端末Ｔ３の間で電話番号を用いずにＩＰパケットを送受する通信を実施し得る請求項１９乃至２４、３８又は３９のいずれかに記載の端末間の通信接続制御方法。
【請求項１０１】前記ＩＰ転送網は終端ゲートウェイ３を含み、ＩＰアドレスＡ１及びＡ３である端末Ｔ１及びＴ３を通信回線を経て前記終端ゲートウェイＧＷ１及びＧＷ３に接続し、前記終端ゲートウェイＧＷ１及びＧＷ３内部にＩＰ通信レコード１３及びＩＰ通信レコード３１を設定しておき、
前記端末Ｔ１が送信元アドレスＡ１、宛先アドレスＡ３であるＩＰパケットを送出すると、前記ＩＰパケットは前記終端ゲートウェイＧＷ１の前記ＩＰ通信レコード１３の管理の基に内部パケットとなって前記ＩＰ転送網を転送され、前記終端ゲートウェイＧＷ３において前記ＩＰ通信レコード３１の管理の基に前記ＩＰパケットが復元されて前記端末Ｔ３に到達するようになっており、前記端末Ｔ１及び端末Ｔ３の間で電話番号を用いずにＩＰパケットを送受する通信を実施し得る請求項３２乃至３６のいずれかに記載の端末間の通信接続制御方法。
【手続補正２】
【補正対象書類名】明細書
【補正対象項目名】発明の名称
【補正方法】変更
【補正の内容】
【発明の名称】端末間の通信接続制御方法